(57)【要約】  本出願の実施例は、ＣＳＩレポートの報告方法、端末機器及びネットワーク機器を提供する。通信技術分野に関し、従来のＣＳＩレポートには干渉の問題が考慮されていないことによりネットワーク機器が正確にＵＥに対して適切なビームを選出することができないことを招くという問題を解決するために用いられる。この方法は、ネットワーク機器から、リファレンス信号受信品質ＲＳＲＱ、信号対干渉ノイズ比ＳＩＮＲのうちのいずれか一種の測定量を指示するか、または、リファレンス信号受信パワーＲＳＲＰ、ＲＳＲＱ及びＳＩＮＲのうちの少なくとも二種の測定量を指示するための第一の情報を受信すること、および第一の情報に基づき、ネットワーク機器へ、第一の情報によって指示された測定量を含むＣＳＩレポートを報告する。本出願は、ビームレポートに用いられる。
2022501950.tif 000002
【特許請求の範囲】
【請求項１】
端末機器に用いられるチャネル状態情報ＣＳＩレポートの報告方法であって、
ネットワーク機器から、リファレンス信号受信品質ＲＳＲＱ、信号対干渉ノイズ比ＳＩＮＲのうちのいずれか一種の測定量を指示するか、または、リファレンス信号受信パワーＲＳＲＰ、ＲＳＲＱ及びＳＩＮＲのうちの少なくとも二種の測定量を指示するための第一の情報を受信すること、および
前記第一の情報に基づき、前記ネットワーク機器へ、前記第一の情報によって指示された測定量を含むＣＳＩレポートを報告することを含む、ことを特徴とする方法。
【請求項２】
前記第一の情報がＲＳＲＰ、ＲＳＲＱ及びＳＩＮＲのうちの少なくとも二種の測定量を指示するために用いられる場合に、前記第一の情報は、前記端末機器へ、第一種の測定量に対応する第二の情報と少なくとも一つの第二種の測定量に対応する第三の情報の報告を指示するために用いられ、
前記ＣＳＩレポートは、前記第二の情報と前記第三の情報を含み、
そのうち、前記第一種の測定量は、少なくとも二種の測定量のうちの一種であり、前記少なくとも一つの第二種の測定量は、前記少なくとも二種の測定量のうち、前記第一種の測定量を除く他の測定量である、ことを特徴とする請求項１に記載の方法。
【請求項３】
前記第二の情報は、Ｎ個の第一のリソースのリソース番号及び対応する第一の値を含み、前記第一の値は、前記Ｎ個の第一のリソースに対応する第一種の測定量を指示するために用いられ、
いずれか一つの第二種の測定量の第三の情報は、Ｙ個の第一のリソースのリソース番号及び対応する第二の値、または、前記第二の値を含み、前記第二の値は、前記Ｙ個の第一のリソースに対応する前記いずれか一つの第二種の測定量を指示するために用いられ、
前記Ｎ個の第一のリソースまたは前記Ｙ個の第一のリソースは、前記ネットワーク機器によって前記端末機器に対して配置されたＭ個の第一のリソースのうちの少なくとも一つであり、
前記Ｍ個の第一のリソースは、Ｍ個のチャネル状態情報リファレンス信号ＣＳＩ−ＲＳリソースまたはＭ個の同期信号ブロックＳＳＢリソースを含み、Ｍ、Ｎは、１以上であり、Ｙは、０以上であり、Ｍは、Ｎ以上であり、Ｍは、Ｙ以上であり、Ｎは、Ｙ以上である、ことを特徴とする請求項２に記載の方法。
【請求項４】
前記Ｙ個の第一のリソースは、前記Ｎ個の第一のリソースの一部または全部の第一のリソースと同じである、ことを特徴とする請求項３に記載の方法。
【請求項５】
前記第三の情報における前記Ｙ個の第一のリソースのリソース番号の順序及び／又は前記Ｙ個の第一のリソースに対応する第二の値の順序は、前記第二の情報における前記Ｎ個の第一のリソースのうちの前記Ｙ個の第一のリソースのリソース番号の順序に対応する、ことを特徴とする請求項４に記載の方法。
【請求項６】
前記Ｎ個の第一のリソースは、前記Ｍ個の第一のリソースの第一種の測定量が大きい順に並び替えられた後、ランキングで１番目からＮ番目までの第一種の測定量に対応する第一のリソースであり、
前記Ｙ個の第一のリソースは、前記Ｎ個の第一のリソースのうち、第一種の測定量が設定しきい値よりも大きい第一のリソースである、ことを特徴とする請求項３に記載の方法。
【請求項７】
前記第一の情報がＲＳＲＱとＳＩＮＲのうちのいずれか一種の測定量を指示するために用いられる場合に、前記第一の情報は、前記端末機器へ、第四の情報の報告を指示するために用いられ、前記ＣＳＩレポートは、前記第四の情報を含み、
前記第四の情報は、Ｎ個の第一のリソースの番号および対応する第三の値を含み、前記第三の値は、前記Ｎ個の第一のリソースの前記いずれか一種の測定量を指示するために用いられ、
前記Ｎ個の第一のリソースは、前記ネットワーク機器によって前記端末機器に対して配置されたＭ個の第一のリソースのうちの少なくとも一つであり、
前記Ｍ個の第一のリソースは、Ｍ個のチャネル状態情報リファレンス信号ＣＳＩ−ＲＳリソースまたはＭ個の同期信号ブロックＳＳＢリソースを含み、Ｍ、Ｎは、１以上であり、Ｍは、Ｎ以上である、ことを特徴とする請求項１に記載の方法。
【請求項８】
一つの第一のリソースのＲＳＲＱは、前記第一のリソースにおいて測定されたＲＳＲＰと前記第一のリソースに対応する第二のリソースにおいて測定された受信信号強度ＲＳＳＩの比率であり、一つの第一のリソースのＳＩＮＲは、前記第一のリソースにおいて測定されたリソース粒子の信号受信パワーの線形平均値と前記第一のリソースに対応する第三のリソースにおいて測定されたリソース粒子の雑音及び干渉パワーの線形平均値との比率であり、
そのうち、一つの第二のリソースが、少なくとも一つの第一のリソースに対応し、及び／又は、一つの第三のリソースが、少なくとも一つの第一のリソースに対応する、ことを特徴とする請求項１〜７のいずれか一項に記載の方法。
【請求項９】
前記第二のリソースは、プロトコルにおいてデフォルト設定されたリソースであり、または、前記第二のリソースは、前記ネットワーク機器によって前記端末機器に対して配置されたリソースであり、
前記第三のリソースは、プロトコルにおいてデフォルト設定されたリソースであり、または、前記第三のリソースは、前記ネットワーク機器によって前記端末機器に対して配置されたリソースである、ことを特徴とする請求項８に記載の方法。
【請求項１０】
ネットワーク機器に用いられるチャネル状態情報ＣＳＩレポートの報告方法であって、
端末機器へ第一の情報を送信することを含み、
そのうち、前記第一の情報は、リファレンス信号受信品質ＲＳＲＱ、信号対干渉ノイズ比ＳＩＮＲのうちのいずれか一種の測定量を指示するために用いられ、または、前記第一の情報は、リファレンス信号受信パワーＲＳＲＰ、ＲＳＲＱ及びＳＩＮＲのうちの少なくとも二種の測定量を指示するために用いられ、前記第一の情報は、前記第一の情報に基づく、前記ネットワーク機器へのＣＳＩレポートの報告を、前記端末機器へ指示するために用いられ、前記ＣＳＩレポートは、前記第一の情報によって指示された測定量を含む、ことを特徴とする方法。
【請求項１１】
前記第一の情報がＲＳＲＰ、ＲＳＲＱ及びＳＩＮＲのうちの少なくとも二種の測定量を指示するために用いられる場合に、前記第一の情報は、前記端末機器へ、第一種の測定量に対応する第二の情報と少なくとも一つの第二種の測定量に対応する第三の情報の報告を指示するために用いられ、
前記ＣＳＩレポートは、前記第二の情報と前記第三の情報を含み、
そのうち、前記第一種の測定量は、少なくとも二種の測定量のうちの一種であり、前記少なくとも一つの第二種の測定量は、前記少なくとも二種の測定量のうち、前記第一種の測定量を除く他の測定量である、ことを特徴とする請求項１０に記載の方法。
【請求項１２】
前記第二の情報は、Ｎ個の第一のリソースのリソース番号及び対応する第一の値を含み、前記第一の値は、前記Ｎ個の第一のリソースに対応する第一種の測定量を指示するために用いられ、
いずれか一つの第二種の測定量の第三の情報は、Ｙ個の第一のリソースのリソース番号及び対応する第二の値、または、前記第二の値を含み、前記第二の値は、前記Ｙ個の第一のリソースに対応する前記いずれか一つの第二種の測定量を指示するために用いられ、
前記Ｎ個の第一のリソースまたは前記Ｙ個の第一のリソースは、前記ネットワーク機器によって前記端末機器に対して配置されたＭ個の第一のリソースのうちの少なくとも一つであり、
前記Ｍ個の第一のリソースは、Ｍ個のチャネル状態情報リファレンス信号ＣＳＩ−ＲＳリソースまたはＭ個の同期信号ブロックＳＳＢリソースを含み、Ｍ、Ｎは、１以上であり、Ｙは、０以上であり、Ｍは、Ｎ以上であり、Ｍは、Ｙ以上であり、Ｎは、Ｙ以上である、ことを特徴とする請求項１１に記載の方法。
【請求項１３】
前記Ｙ個の第一のリソースは、前記Ｎ個の第一のリソースの一部または全部の第一のリソースと同じである、ことを特徴とする請求項１２に記載の方法。
【請求項１４】
前記第三の情報における前記Ｙ個の第一のリソースのリソース番号の順序及び／又は前記Ｙ個の第一のリソースに対応する第二の値の順序は、前記第二の情報における前記Ｎ個の第一のリソースのうちの前記Ｙ個の第一のリソースのリソース番号の順序に対応する、ことを特徴とする請求項１３に記載の方法。
【請求項１５】
前記Ｎ個の第一のリソースは、前記Ｍ個の第一のリソースの第一種の測定量が大きい順に並び替えられた後、ランキングで１番目からＮ番目までの第一種の測定量に対応する第一のリソースであり、
前記Ｙ個の第一のリソースは、前記Ｎ個の第一のリソースのうち、第一種の測定量が設定しきい値よりも大きい第一のリソースである、ことを特徴とする請求項１２に記載の方法。
【請求項１６】
前記第一の情報がＲＳＲＱとＳＩＮＲのうちのいずれか一種の測定量を指示するために用いられる場合に、前記第一の情報は、前記端末機器へ、第四の情報の報告を指示するために用いられ、前記ＣＳＩレポートは、前記第四の情報を含み、
前記第四の情報は、Ｎ個の第一のリソースの番号および対応する第三の値を含み、前記第三の値は、前記Ｎ個の第一のリソースの前記いずれか一種の測定量を指示するために用いられ、
前記Ｎ個の第一のリソースは、前記ネットワーク機器によって前記端末機器に対して配置されたＭ個の第一のリソースのうちの少なくとも一つであり、
前記Ｍ個の第一のリソースは、Ｍ個のチャネル状態情報リファレンス信号ＣＳＩ−ＲＳリソースまたはＭ個の同期信号ブロックＳＳＢリソースを含み、Ｍ、Ｎは、１以上であり、Ｍは、Ｎ以上である、ことを特徴とする請求項１０に記載の方法。
【請求項１７】
一つの第一のリソースのＲＳＲＱは、前記第一のリソースにおいて測定されたＲＳＲＰと前記第一のリソースに対応する第二のリソースにおいて測定された受信信号強度ＲＳＳＩの比率であり、一つの第一のリソースのＳＩＮＲは、前記第一のリソースにおいて測定されたリソース粒子の信号受信パワーの線形平均値と前記第一のリソースに対応する第三のリソースにおいて測定されたリソース粒子の雑音及び干渉パワーの線形平均値との比率であり、
そのうち、一つの第二のリソースが、少なくとも一つの第一のリソースに対応し、及び／又は、一つの第三のリソースが、少なくとも一つの第一のリソースに対応する、ことを特徴とする請求項１０〜１６のいずれか一項に記載の方法。
【請求項１８】
前記第二のリソースは、プロトコルにおいてデフォルト設定されたリソースであり、または、前記第二のリソースは、前記ネットワーク機器によって前記端末機器に対して配置されたリソースであり、
前記第三のリソースは、プロトコルにおいてデフォルト設定されたリソースであり、または、前記第三のリソースは、前記ネットワーク機器によって前記端末機器に対して配置されたリソースである、ことを特徴とする請求項１７に記載の方法。
【請求項１９】
前記第一のリソースがＣＳＩ−ＲＳリソースである場合に、前記ネットワーク機器は、前記端末機器に対して前記ＣＳＩ−ＲＳリソースに対応する第二のリソース及び／又は第三のリソースを配置しない、ことを特徴とする請求項１８に記載の方法。
【請求項２０】
前記第一のリソースがＳＳＢリソースである場合に、前記ネットワーク機器は、前記端末機器に対して前記ＳＳＢリソースに対応する第二のリソース及び／又は第三のリソースを配置する、ことを特徴とする請求項１８に記載の方法。
【請求項２１】
ネットワーク機器から、リファレンス信号受信品質ＲＳＲＱ、信号対干渉ノイズ比ＳＩＮＲのうちのいずれか一種の測定量を指示するか、または、リファレンス信号受信パワーＲＳＲＰ、ＲＳＲＱ及びＳＩＮＲのうちの少なくとも二種の測定量を指示するための第一の情報を受信するための受信モジュール、および
前記受信モジュールによって受信された前記第一の情報に基づき、前記ネットワーク機器へ、前記第一の情報によって指示された測定量を含むＣＳＩレポートを報告するための送信モジュールを含む、ことを特徴とする端末機器。
【請求項２２】
ネットワーク機器であって、
端末機器へ第一の情報を送信するための送信モジュールを含み、
そのうち、前記第一の情報は、リファレンス信号受信品質ＲＳＲＱ、信号対干渉ノイズ比ＳＩＮＲのうちのいずれか一種の測定量を指示するために用いられ、または、前記第一の情報は、リファレンス信号受信パワーＲＳＲＰ、ＲＳＲＱ及びＳＩＮＲのうちの少なくとも二種の測定量を指示するために用いられ、前記第一の情報は、前記第一の情報に基づく、前記ネットワーク機器へのＣＳＩレポートの報告を、前記端末機器へ指示するために用いられ、前記ＣＳＩレポートは、前記第一の情報によって指示された測定量を含む、ことを特徴とするネットワーク機器。
【請求項２３】
プロセッサ、メモリ、および、前記メモリに記憶され、前記プロセッサ上で運行できるコンピュータプログラムを含み、前記コンピュータプログラムが前記プロセッサによって実行される時、請求項１〜９のいずれか１項に記載のＣＳＩレポートの報告方法のステップを実現させる、ことを特徴とする端末機器。
【請求項２４】
プロセッサ、メモリ、および、前記メモリに記憶され、前記プロセッサ上で運行できるコンピュータプログラムを含み、前記コンピュータプログラムが前記プロセッサによって実行される時、請求項１０〜２０のいずれか１項に記載のＣＳＩレポートの報告方法のステップを実現させる、ことを特徴とするネットワーク機器。
【請求項２５】
コンピュータプログラムが記憶されており、前記コンピュータプログラムがプロセッサによって実行される時、請求項１〜２０のいずれか１項に記載のＣＳＩレポートの報告方法のステップを実現させる、ことを特徴とするコンピュータ可読記憶媒体。
【発明の詳細な説明】
【技術分野】
【０００１】
（関連出願の相互参照）
本出願は、２０１８年０９月２６日に中国特許局で提出され、出願番号が２０１８１１１２６４６９．４であり、「ＣＳＩレポートの報告方法、端末機器及びネットワーク機器」と称される中国特許出願の優先権を主張しており、その内容のすべては、援用で本出願に取り込まれる。
本出願は、通信技術分野に関し、特に、チャネル状態情報（Ｃｈａｎｎｅｌ  Ｓｔａｔｅ  Ｉｎｆｏｒｍａｔｉｏｎ、ＣＳＩ）レポートの報告方法、端末機器及びネットワーク機器に関する。
【背景技術】
【０００２】
Ｒｅｌ−１５では、ＵＥがネットワーク機器へ報告するＣＳＩレポートにおけるＣＳＩ−ＲＳリソースまたはＳＳＢリソースを定義するＲＳＲＰ（一般的にはＬ１−ＲＳＲＰと呼ばれ、即ちレイヤ１−ＲＳＲＰ）は、ビームレポートに用いられる。
【０００３】
しかしながら、伝統的なＣＳＩレポートには、ビームレポートのためのＲＳＲＰのみが含まれており、干渉の問題については考慮していないため、ネットワーク機器が正確にＵＥに対して最適なビームを選出することができないことを招く。
【発明の概要】
【発明が解決しようとする課題】
【０００４】
本出願の実施例は、伝統的なＣＳＩレポートには干渉の問題が考慮されていないことによりネットワーク機器が正確にＵＥに対して適切なビームを選出することができないことを招くという問題を解決するためのＣＳＩレポートの報告方法、端末機器及びネットワーク機器を提供する。
【課題を解決するための手段】
【０００５】
上記技術課題を解決するために、本出願は以下のように実現される。
【０００６】
第一の方面によれば、本出願の実施例は、端末機器に用いられるＣＳＩレポートの報告方法を提供する。前記方法は、
ネットワーク機器から、リファレンス信号受信品質（Ｒｅｆｅｒｅｎｃｅ  Ｓｉｇｎａｌ  Ｒｅｃｅｉｖｅｄ  Ｑｕａｌｉｔｙ、ＲＳＲＱ）、信号対干渉ノイズ比（Ｓｉｇｎａｌ−ｔｏ−Ｉｎｔｅｒｆｅｒｅｎｃｅ  ａｎｄ  Ｎｏｉｓｅ  Ｒａｔｉｏ、ＳＩＮＲ）のうちのいずれか一種の測定量を指示するか、または、リファレンス信号受信パワー（Ｒｅｆｅｒｅｎｃｅ  Ｓｉｇｎａｌ  Ｒｅｃｅｉｖｅｄ  Ｐｏｗｅｒ、ＲＳＲＰ）、ＲＳＲＱ及びＳＩＮＲのうちの少なくとも二種の測定量を指示するための第一の情報を受信すること、および
前記第一の情報に基づき、前記ネットワーク機器へ、前記第一の情報によって指示された測定量を含むＣＳＩレポートを報告することを含む。
【０００７】
第二の方面によれば、本出願の実施例は、ネットワーク機器に用いられるＣＳＩレポートの報告方法を提供する。この方法は、
端末機器へ第一の情報を送信することを含み、
そのうち、前記第一の情報は、ＲＳＲＱ、ＳＩＮＲのいずれか一種の測定量を指示するために用いられ、または、前記第一の情報は、ＲＳＲＰ、ＲＳＲＱ及びＳＩＮＲのうちの少なくとも二種の測定量を指示するために用いられ、前記第一の情報は、前記第一の情報に基づく、前記ネットワーク機器へのＣＳＩレポートの報告を、前記端末機器へ指示するために用いられ、前記ＣＳＩレポートは、前記第一の情報によって指示された測定量を含む。
【０００８】
第三の方面によれば、本出願の実施例は、端末機器を提供する。前記端末機器は、
ネットワーク機器から、ＲＳＲＱ、ＳＩＮＲのいずれか一種の測定量を指示するか、または、ＲＳＲＰ、ＲＳＲＱ及びＳＩＮＲのうちの少なくとも二種の測定量を指示するための第一の情報を受信するための受信モジュール、および
前記受信モジュールによって受信された前記第一の情報に基づき、前記ネットワーク機器へ、前記第一の情報によって指示された測定量を含むＣＳＩレポートを報告するための送信モジュールを含む。
【０００９】
第四の方面によれば、本出願の実施例は、ネットワーク機器を提供する。前記ネットワーク機器は、
端末機器へ第一の情報を送信するための送信モジュールを含み、
そのうち、前記第一の情報は、ＲＳＲＱ、ＳＩＮＲのいずれか一種の測定量を指示するために用いられ、または、前記第一の情報は、ＲＳＲＰ、ＲＳＲＱ及びＳＩＮＲのうちの少なくとも二種の測定量を指示するために用いられ、前記第一の情報は、前記第一の情報に基づく、前記ネットワーク機器へのＣＳＩレポートの報告を、前記端末機器へ指示するために用いられ、前記ＣＳＩレポートは、前記第一の情報によって指示された測定量を含む。
【００１０】
第五の方面によれば、本出願の実施例は、端末機器を提供する。プロセッサ、メモリ、および、前記メモリに記憶され、前記プロセッサ上で運行できるコンピュータプログラムを含み、前記コンピュータプログラムが前記プロセッサによって実行される時、第一の方面に記載されるようなＣＳＩレポートの報告方法のステップを実現させる。
【００１１】
第六の方面によれば、本出願の実施例は、ネットワーク機器を提供する。プロセッサ、メモリ、および、前記メモリに記憶され、前記プロセッサ上で運行できるコンピュータプログラムを含み、前記コンピュータプログラムが前記プロセッサによって実行される時、第二の方面に記載されるようなＣＳＩレポートの報告方法のステップを実現させる。
【００１２】
第七の方面によれば、本出願の実施例は、コンピュータ可読記憶媒体を提供する。前記コンピュータ可読記憶媒体にはコンピュータプログラムが記憶されており、前記コンピュータプログラムがプロセッサによって実行される時、上記ＣＳＩレポートの報告方法のステップを実現させる。
【００１３】
本出願の実施例では、ネットワーク機器が端末機器へ第一の情報を送信することで端末機器へ指示して報告したＣＳＩレポートには、ＲＳＲＱとＳＩＮＲが含まれ、または、端末機器へ指示して報告したＣＳＩレポートには、ＲＳＲＰ、ＲＳＲＱ及びＳＩＮＲのうちの少なくとも二種が含まれ、即ち伝統的なＣＳＩレポートにはＲＳＲＱ及び／又はＳＩＮＲが増加されている。これによって、ＣＳＩレポートには干渉因子が考慮されているようになり、さらにネットワーク機器がこのＣＳＩレポートに基づき正確に端末機器に対して最適なビームを選出できるようになり、通信効率及び効能を向上させる。
【図面の簡単な説明】
【００１４】
【図１】本出願の実施例に係る通信システムの一つの選択的な構成模式図である；
【図２】本出願の実施例によるＣＳＩレポートの報告方法のフローチャートである；
【図３】本出願の実施例による端末機器の構成模式図のその一である；
【図４】本出願の実施例によるネットワーク機器の構成模式図のその二である；
【図５】本出願の実施例による端末機器の構成模式図のその三である；
【図６】本出願の実施例によるネットワーク機器の構成模式図のその四である。
【発明を実施するための形態】
【００１５】
理解の便宜上、以下では、本出願の実施例に係る一部の用語を解釈する。
【００１６】
１、ＣＳＩレポート
端末機器は、ネットワーク機器によって当該端末機器に対して配置されたＣＳＩレポート配置情報（例えば、ＣＳＩ  ｒｅｐｏｒｔ  ｓｅｔｔｉｎｇまたはＣＳＩ−ｒｅｐｏｒｔＣｏｎｆｉｇ）を受信すると、このＣＳＩレポート配置情報における配置に基づき、ネットワーク機器へＣＳＩレポートを送信することができる。
【００１７】
関連技術では、ＣＳＩレポート配置情報において端末機器に指示されたレポート量（ｒｅｐｏｒｔ  Ｑｕａｎｔｉｔｙ）が「ｃｒｉ−ＲＳＲＰ」、即ちＣＳＩ−ＲＳリソース番号（ＣＳＩ−ＲＳ  Ｒｅｓｏｕｒｃｅ  Ｉｎｄｅｘ、ＣＲＩ）及びそれらのリソース番号に対応するＬ１−ＲＳＲＰ、または「ｓｓｂ−Ｉｎｄｅｘ−ＲＳＲＰ」、即ち同期信号ブロックリソース番号（ＳＳＢＲＩ）及びそれらのリソースに対応するＬ１−ＲＳＲＰである場合、このＣＳＩレポートがビームレポートに用いられ、即ち端末機器が、この端末機器によって測定且つ選択された最適な一つまたは複数のＣＳＩ−ＲＳリソース番号またはＳＳＢリソース番号（基地局の下りリンク発射ビームに該当）及び対応するＬ１−ＲＳＲＰを報告することを示した。
【００１８】
しかしながら、伝統的なＣＳＩレポートには、ビームレポートのためのＬ１−ＲＳＲＰのみが含まれ、干渉の問題が考慮されていないので、ネットワーク機器が正確に端末機器に対して最適なビームを選出することができないことを招く。
【００１９】
この問題を解決するために、本出願の実施例では、ネットワーク機器が端末機器へ第一の情報を送信することで端末機器へ指示して報告したＣＳＩレポートには、ＲＳＲＱとＳＩＮＲが含まれ、または、端末機器へ指示して報告したＣＳＩレポートには、ＲＳＲＰ、ＲＳＲＱ及びＳＩＮＲのうちの少なくとも二種が含まれ、即ち伝統的なＣＳＩレポートにはＲＳＲＱ及び／又はＳＩＮＲが増加されている。これによって、ＣＳＩレポートには干渉因子が考慮されることが可能であり、さらにネットワーク機器がこのＣＳＩレポートに基づきより正確に端末機器に対して最適なビームを選出することができるようになる。
【００２０】
本出願に言及されたＲＳＲＰ、ＲＳＲＱ及びＳＩＮＲは、いずれもビームレポートに用いられ、例えばＬ１−ＲＳＲＰ、Ｌ１−ＲＳＲＱ及びＬ１−ＳＩＮＲと呼ばれてもよい。以下では、いずれもＲＳＲＰ、ＲＳＲＱ及びＳＩＮＲと簡単に呼ばれるが、その定義は、Ｒｅｌ−１５において定義された、無線リソース管理（Ｒａｄｉｏ  Ｒｅｓｏｕｒｃｅ  Ｍａｎａｇｅｍｅｎｔ、ＲＲＭ）のためのＲＳＲＰ、ＲＳＲＱ及びＳＩＮＲと異なる。
【００２１】
２、ＲＳＲＰ
本出願におけるＲＳＲＰ（Ｌ１−ＲＳＲＰ、即ちレイヤ１−ＲＳＲＰと呼ばれてもよい）は、ビームレポートに用いられ、Ｒｅｌ−１５においてすでに定義されている。
【００２２】
具体的には、伝統的な、同期信号ＳＳに対するＬ１−ＲＳＲＰは、ビームレポートに適用できる。伝統的な、ＣＳＩ−ＲＳに対するＬ１−ＲＳＲＰもビームレポートに適用できる。
【００２３】
３、ＲＳＲＱ
１）：Ｒｅｌ−１５において定義されたＲＳＲＱ：
ＳＳについて：ＳＳ−ＲＳＲＱの定義は、Ｋ×同期信号リファレンス信号受信パワー（ＳＳ  Ｒｅｆｅｒｅｎｃｅ  Ｓｉｇｎａｌ  Ｒｅｃｅｉｖｉｎｇ  Ｐｏｗｅｒ、ＳＳ−ＲＳＲＰ）／ＮＲ搬送波受信信号強度指示（ＮＲ  ｃａｒｒｉｅｒ  ＲＳＳＩ）である。
【００２４】
そのうち、Ｋは、ＮＲ搬送波ＲＳＳＩの測定帯域幅のリソースブロック（Ｒｅｓｏｕｒｃｅ  Ｂｌｏｃｋ、ＲＢ）数であり、上述したＳＳ−ＲＳＲＱの分子や分母の測定は、同一のグループＲＢにおいて行われる。ＮＲ搬送波ＲＳＳＩは、測定帯域幅における測定時間リソース内の何らかのＯＦＤＭ符号に観測されたＮ個のＲＢの総受信パワー（ワット）の線形平均であり、受信信号元は、同一のチャネルのサービスセルと非サービスセルの受信パワー、隣接チャネル干渉、熱雑音などを含む。
【００２５】
ＮＲ搬送波ＲＳＳＩの測定時間リソースは、ＳＳ／ＰＢＣＨブロック測定時間配置（ＳＭＴＣ、ＳＳ／ＰＢＣＨ  Ｂｌｏｃｋ  Ｍｅａｓｕｒｅｍｅｎｔ  Ｔｉｍｅ  Ｃｏｎｆｉｇｕｒａｔｉｏｎ）時間窓長内に限定される。
【００２６】
ＣＳＩについて：ＣＳＩ−ＲＳＲＱの定義は、Ｋ×ＣＳＩ−ＲＳＲＰ／ＣＳＩ−ＲＳＳＩである。
【００２７】
そのうち、Ｋは、ＣＳＩ−ＲＳＳＩの測定帯域幅のＲＢ数であり、上述したＣＳＩ−ＲＳＲＱの分子や分母の測定は、同一のグループＲＢにおいて行われる。ＣＳＩ−ＲＳＳＩは、測定帯域幅における測定時間リソース内の何らかのＯＦＤＭ符号に観測されたＮ個のＲＢの総受信パワー（ワット）の線形平均であり、受信信号元は、同一のチャネルのサービスセルと非サービスセルの受信パワー、隣接チャネル干渉、熱雑音などを含む。
【００２８】
ＣＳＩ−ＲＳＳＩの測定時間リソースは、ＣＳＩ−ＲＳを配置して送信する時刻におけるＯＦＤＭ符号に対応する。
【００２９】
２）本出願に定義されたＲＳＲＱ（Ｌ１−ＲＳＲＱ、即ちレイヤ１−ＲＳＲＱと呼ばれてもよい）の定義は、第一のリソースにおいて測定されたＲＳＲＰとこの第一のリソースに対応する第二のリソースにおいて測定されたＲＳＳＩとの比率である。そのうち、上述した第一のリソースは、ＣＳＩ−ＲＳリソースまたはＳＳＢリソースである。
【００３０】
具体的な定義は、第一のリソースにおいて測定されたＲＳＲＰのＨ倍とこの第一のリソースに対応する第二のリソースにおいて測定されたＲＳＳＩとの比率である。そのうち、Ｈは、周波数領域帯域幅における第一のリソースのＲＢ数であり、第一のリソースと第二のリソースの周波数領域帯域幅とが一致していれば、Ｈは、したがって同様にＲＳＳＩの測定帯域幅のＲＢ数である。
【００３１】
以上をまとめ、本出願に定義されたＲＳＲＱとＲｅｌ−１５において定義されたＲＳＲＱとを比較すれば分かるように、本出願に定義されたＲＳＲＱは、個別リソースに係るものであり、測定時間と測定帯域幅は、いずれも相応な第一のリソースまたは第二のリソースに限定される。
【００３２】
４、ＳＩＮＲ
１）：Ｒｅｌ−１５において定義されたＳＩＮＲ：
ＳＳについて：ＳＳ−ＳＩＮＲの定義は、セカンダリー同期信号を伝送するＲＥにおける信号受信パワー（ワット）の線形平均値を同じ周波数帯域でセカンダリー同期信号を伝送するＲＥにおける雑音及び干渉パワー（ワット）の線形平均値で割ることである。ＳＳ−ＳＩＮＲの測定時間リソースは、ＳＳ／ＰＢＣＨブロックＳＭＴＣ時間窓長内に限定される。
【００３３】
留意すべきことは、セカンダリー同期信号以外、ＰＢＣＨの復調リファレンス信号（ＤＭＲＳ）も、ＳＳ−ＳＩＮＲを特定することができる。ハイレイヤは、何らかのＳＳ／ＰＢＣＨブロックでＳＳ−ＳＩＮＲ測定を実行することを指示することができる。
【００３４】
ＣＳＩについて：ＣＳＩ−ＳＩＮＲの定義は、伝送ＣＳＩ−ＲＳのＲＥにおける信号受信パワー（ワット）の線形平均値を、同じ周波数帯域で伝送ＣＳＩ−ＲＳのＲＥにおける雑音及び干渉パワー（ワット）の線形平均値で割ることである。
【００３５】
２）：本出願に定義されたＳＩＮＲ（Ｌ１−ＳＩＮＲ、即ちレイヤ１−ＳＩＮＲと呼ばれてもよい）の定義は、第一のリソースにおいて測定された信号受信パワー（ワット）の線形平均値とこの第一のリソースに対応する第三のリソースにおいて測定された雑音及び干渉パワー（ワット）の比率である。そのうち、上述した第一のリソースは、ＣＳＩ−ＲＳリソースまたはＳＳＢリソースである。
【００３６】
以上をまとめ、本出願に定義されたＳＩＮＲとＲｅｌ−１５において定義されたＳＩＮＲとを比較すれば分かるように、本出願に定義されたＳＩＮＲは、個別リソースに係るものであり、測定時間と測定帯域幅は、いずれも相応な第一のリソースまたは第三のリソースに限定される。
【００３７】
５、他の用語
本明細書における「及び／又は」という用語は、ただ関連対象を記述する関連関係に過ぎず、三種の関係が存在してもよいことを表す。例えば、Ａ及び／又はＢは、Ａが単独に存在すること、ＡとＢが同時に存在すること、Ｂが単独に存在することの三種のケースを表してもよい。また、本明細書における「／」という文字は、一般的には、前後の関連対象が「または」という関係であることを表す。式では、文字「／」は、前後の関連対象が「除算」という関係であることを表す。説明しない場合、本明細書における「複数の」は、二つまたは二つ以上を指す。
【００３８】
本出願の実施例の技術案についての明瞭な記述の便宜上、本出願の実施例では、「第一の」、「第二の」などの用語を使用して、機能または作用が基本的に同じである同一のアイテムまたは類似したアイテムを区別する。当業者であれば理解できるように、「第一の」、「第二の」などの用語は、数と実行手順を限定するものではない。
【００３９】
説明すべきことは、本出願の実施例では、「例示的に」または「例えば」などの言葉は、例、例証または説明として表わされているために用いられる。本出願の実施例では、「例示的に」または「例えば」と記述されている任意の実施例または設計方案は、他の実施例または設計方案よりも好ましいまたは優勢を有すると解釈されるべきではない。的確に言うと、「例示的に」または「例えば」などの言葉を使用することは、具体的な形態で関連概念を示すことを目的とする。
【００４０】
以下では、添付図面を結び付けながら、本出願による技術案を紹介する。
【００４１】
本出願による技術案は、各種の通信システム、例えば５Ｇ通信システム、未来進化システムまたは様々な通信融合システムなどに用いられてもよい。様々なアプリケーションシーンを含んでもよく、例えば、マシンツーマシン（Ｍａｃｈｉｎｅ  ｔｏ  Ｍａｃｈｉｎｅ、Ｍ２Ｍ）、Ｄ２Ｍ、マクロとミクロの通信、拡張型モバイルブロードバンド（ｅｎｈａｎｃｅｄ  Ｍｏｂｉｌｅ  Ｂｒｏａｄｂａｎｄ、ｅＭＢＢ）、超信頼低遅延通信（ｕｌｔｒａ  Ｒｅｌｉａｂｌｅ  ＆  Ｌｏｗ  Ｌａｔｅｎｃｙ  Ｃｏｍｍｕｎｉｃａｔｉｏｎ、ｕＲＬＬＣ）及び大規模マシン型通信（Ｍａｓｓｉｖｅ  Ｍａｃｈｉｎｅ  Ｔｙｐｅ  Ｃｏｍｍｕｎｉｃａｔｉｏｎ、ｍＭＴＣ）などのシーンを含んでもよい。それらのシーンは、端末機器と端末機器との間の通信、またはネットワーク機器とネットワーク機器との間の通信、またはネットワーク機器と端末機器との間の通信などのシーンを含むが、それらに限らない。本出願の実施例は、５Ｇ通信システムにおけるネットワーク機器と端末機器との間の通信、または端末機器と端末機器との間の通信、またはネットワーク機器とネットワーク機器との間の通信に用いられてもよい。
【００４２】
図１は、本出願の実施例に係る通信システムの一つの選択的な構成模式図を示した。図１に示すように、この通信システムは、少なくとも一つのネットワーク機器１００（図１には一つのみが示されている）及び各ネットワーク機器１００が接続された一つまたは複数の端末機器２００を含む。
【００４３】
そのうち、上述したネットワーク機器１００は、基地局、コアネットワーク機器、送受信ポイント（Ｔｒａｎｓｍｉｓｓｉｏｎ  ａｎｄ  Ｒｅｃｅｐｔｉｏｎ  Ｐｏｉｎｔ、ＴＲＰ）、中継局またはアクセスポイントなどであってもよい。ネットワーク機器１００は、グローバル移動通信システム（Ｇｌｏｂａｌ  Ｓｙｓｔｅｍ  ｆｏｒ  Ｍｏｂｉｌｅ  ｃｏｍｍｕｎｉｃａｔｉｏｎ、ＧＳＭ）または符号分割多元接続（Ｃｏｄｅ  Ｄｉｖｉｓｉｏｎ  Ｍｕｌｔｉｐｌｅ  Ａｃｃｅｓｓ、ＣＤＭＡ）ネットワークにおけるベーストランシーバステーション（Ｂａｓｅ  Ｔｒａｎｓｃｅｉｖｅｒ  Ｓｔａｔｉｏｎ、ＢＴＳ）であってもよく、ブロードバンド符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ(登録商標)）におけるＮＢ（ＮｏｄｅＢ）であってもよく、ＬＴＥにおけるｅＮＢまたはｅＮｏｄｅＢ（ｅｖｏｌｕｔｉｏｎａｌ  ＮｏｄｅＢ）であってもよい。ネットワーク機器１００は、クラウド無線アクセスネットワーク（Ｃｌｏｕｄ  Ｒａｄｉｏ  Ａｃｃｅｓｓ  Ｎｅｔｗｏｒｋ、ＣＲＡＮ）というシーンにおける無線コントローラであってもよい。ネットワーク機器１００は、５Ｇ通信システムにおけるネットワーク機器または未来進化ネットワークにおけるネットワーク機器であってもよい。しかしながら、用語は、本出願に対する制限を構成するものではない。
【００４４】
端末機器２００は、無線端末機器であってもよいし、有線端末機器であってもよい。この無線端末機器は、ユーザへ語音及び／又は他の業務データの連通性を提供する機器、無線通信機能を有するハンドヘルド型機器、コンピューティング機器または無線モデムに接続された他の処理機器、車載機器、ウェアラブルデバイス、未来５Ｇネットワークにおける端末機器または未来進化のＰＬＭＮネットワークにおける端末機器などであってもよい。無線端末機器は、ワイヤレス・アクセス・ネットワーク（Ｒａｄｉｏ  Ａｃｃｅｓｓ  Ｎｅｔｗｏｒｋ、ＲＡＮ）を介して一つまたは複数のコアネットワークと通信してもよい。無線端末機器は、携帯電話（または「セルラー」電話と呼ばれる）のような移動端末機器と、移動端末機器を有するコンピュータであってもよい。例えば、ワイヤレス・アクセス・ネットワークと言語及び／又はデータをやり取る可搬型、ポケット型、ハンドヘルド型、コンピュータ内蔵型または車載型の移動装置、及びパーソナルコミュニケーションサービス（Ｐｅｒｓｏｎａｌ  Ｃｏｍｍｕｎｉｃａｔｉｏｎ  Ｓｅｒｖｉｃｅ、ＰＣＳ）電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話機、無線ローカルループ（Ｗｉｒｅｌｅｓｓ  Ｌｏｃａｌ  Ｌｏｏｐ、ＷＬＬ）局、パーソナル・デジタル・アシスタント（Ｐｅｒｓｏｎａｌ  Ｄｉｇｉｔａｌ  Ａｓｓｉｓｔａｎｔ、ＰＤＡ）などの機器であってもよい。無線端末機器は、移動機器、ユーザ機器（Ｕｓｅｒ  Ｅｑｕｉｐｍｅｎｔ、ＵＥ）、ＵＥ端末機器、アクセス端末機器、無線通信機器、端末機器ユニット、端末機器局、移動局（Ｍｏｂｉｌｅ  Ｓｔａｔｉｏｎ）、移動テーブル（Ｍｏｂｉｌｅ）、リモート局（Ｒｅｍｏｔｅ  Ｓｔａｔｉｏｎ）、遠隔局、リモート端末機器（Ｒｅｍｏｔｅ  Ｔｅｒｍｉｎａｌ）、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、ユーザエージェント（Ｕｓｅｒ  Ａｇｅｎｔ）、端末機器装置などであってもよい。例としては、本出願の実施例では、図１は、端末機器が携帯電話であることを例として示される。
【００４５】
図２は、本出願の実施例によるＣＳＩレポートの報告方法のフローチャートを示した。図２に示すように、本出願の実施例によるＣＳＩレポートの報告方法は、以下のようなステップを含んでもよい：
ステップ２０１：端末機器は、ネットワーク機器から第一の情報を受信する。
【００４６】
それに応じて、ネットワーク機器は、端末機器へ第一の情報を送信する。
【００４７】
本出願の実施例におけるネットワーク機器は、図１に示す通信システムにおけるネットワーク機器、例えば基地局であってもよい。本出願の実施例における端末機器は、図１に示す通信システムにおける端末機器であってもよい。
【００４８】
本出願の実施例では、上述した第一の情報は、ＲＳＲＰ、ＲＳＲＱおよびＳＩＮＲのうちのいずれか一種の測定量を指示するために用いられ、または、上述した第一の情報は、ＲＳＲＰ、ＲＳＲＱ及びＳＩＮＲのうちの少なくとも二種の測定量を指示するために用いられる。
【００４９】
本出願の実施例では、上述した第一の情報は、端末機器へＲＳＲＰ、ＲＳＲＱおよびＳＩＮＲのうちの少なくとも一種の測定量の報告を指示するために用いられる。
【００５０】
本出願の実施例では、上述した第一の情報は、ＣＳＩレポート配置情報（例えば、ＣＳＩ  ｒｅｐｏｒｔ  ｓｅｔｔｉｎｇ／ＣＳＩ−ｒｅｐｏｒｔＣｏｎｆｉｇ）であってもよく、このＣＳＩレポート配置情報におけるｒｅｐｏｒｔ  Ｑｕａｎｔｉｔｙ（例えば、ネットワーク機器がＣＳＩレポート配置情報におけるｒｅｐｏｒｔ  Ｑｕａｎｔｉｔｙにおいて端末機器へＲＳＲＰ、ＲＳＲＱ及びＳＩＮＲのうちの少なくとも一種の測定量の報告を指示する）であってもよい。そのうち、上述したＣＳＩレポート配置情報は、各端末機器が報告すべき測定量に対応する配置情報、例えばリソース数、周期などを含む。
【００５１】
一つの例では、ネットワーク機器は、複数のＣＳＩレポートにおいて配置された第一の情報によってそれぞれ端末機器へＲＳＲＰ、ＲＳＲＱ及びＳＩＮＲの報告を指示してもよい。そのうち、第一の情報ごとに対応する周期、リソース数などの配置は、異なってもよい。例を挙げて説明すると、３つの異なるＣＳＩ  ｒｅｐｏｒｔ  ｓｅｔｔｉｎｇには配置されてもよい。一つのＣＳＩ  ｒｅｐｏｒｔ  ｓｅｔｔｉｎｇには端末機器によって報告されたＲＳＲＰが配置され、一つのＣＳＩ  ｒｅｐｏｒｔ  ｓｅｔｔｉｎｇには、端末機器によって報告されたＲＳＲＱが配置され、一つのＣＳＩ  ｒｅｐｏｒｔ  ｓｅｔｔｉｎｇには、端末機器によって報告されたＳＩＮＲが配置される。そのうち、ＲＳＲＰに対応するＣＳＩレポートの周期が長く、ＲＳＲＱに対応するＣＳＩレポートの周期が短い。
【００５２】
一つの例では、ネットワーク機器は、一つのＣＳＩレポートにおいて配置された第一の情報によって端末機器へＲＳＲＰ、ＲＳＲＱ及びＳＩＮＲのうちの少なくとも二種の測定量の報告を指示してもよい。そのうち、この第一の情報において測定量ごとに対応する周期、リソース数などの配置は、同じでもよいし、異なってもよい。例を挙げて説明すると、一つのＣＳＩ  ｒｅｐｏｒｔ  ｓｅｔｔｉｎｇには配置されてもよい。このＣＳＩ  ｒｅｐｏｒｔ  ｓｅｔｔｉｎｇには、端末機器によって報告されたＲＳＲＰ、ＲＳＲＱ及びＳＩＮＲのうちの少なくとも二種の測定量が配置され、このＣＳＩ  ｒｅｐｏｒｔ  ｓｅｔｔｉｎｇに対応するＣＳＩレポートにおける測定量ごとに対応する周期、リソース数などの配置は、同じでもよいし、異なってもよい。
【００５３】
選択的に、本出願の実施例では、上述した第一の情報によって端末機器へ指示してＭ個の第一のリソースに基づき報告されたＣＳＩレポートには、ＲＳＲＰ、ＲＳＲＱおよびＳＩＮＲにおける少なくとも一種が含まれる。例示的に、上述したＭ個の第一のリソースは、ネットワーク機器によって端末機器に対して配置されたリソースであり、上述したＭ個の第一のリソースは、Ｍ個のＣＳＩ−ＲＳリソース及び／又はＭ個のＳＳＢリソースを含み、Ｍは、１以上である。
【００５４】
ステップ２０２：端末機器は、第一の情報に基づき、ネットワーク機器へＣＳＩレポートを報告する。
【００５５】
本出願の実施例では、上述したＣＳＩレポートは、上述した第一の情報によって指示された測定量を含む。
【００５６】
本出願の実施例では、端末機器は、異なる第一の情報によって異なるＣＳＩレポートを報告してもよい。具体的に、以下のような二つの選択的な実現形態を含んでもよい。
【００５７】
第一種の選択的な実現形態では：
上述した第一の情報がＲＳＲＰ、ＲＳＲＱ及びＳＩＮＲのうちの少なくとも二種の測定量を指示するために用いられる場合について：
具体的には、上述した第一の情報がＲＳＲＰ、ＲＳＲＱ及びＳＩＮＲのうちの少なくとも二種の測定量を指示するために用いられる場合に、この第一の情報は、端末機器へ第一種の測定量に対応する第二の情報と少なくとも一つの第二種の測定量に対応する第三の情報の報告を指示するために用いられる。対応するＣＳＩレポートは、第一種の測定量に対応する第二の情報と少なくとも一つの第二種の測定量に対応する第三の情報を含む。
【００５８】
そのうち、上述した第一種の測定量は、少なくとも二種の測定量のうちの一種であり、上述した少なくとも一つの第二種の測定量は、前記少なくとも二種の測定量のうち、第一種の測定量以外の他の測定量であり、上述した少なくとも一つの第二種の測定量に対応する第三の情報は、第二種の測定量ごとに対応する第三の情報を含む。
【００５９】
１、上述した第一種の測定量に対応する第二の情報について
【００６０】
さらに、上述した第一種の測定量に対応する第二の情報は、Ｎ個の第一のリソースのリソース番号及び対応する第一の値を含み、上述した第一の値は、Ｎ個の第一のリソースに対応する第一種の測定量を指示するために用いられる。
【００６１】
説明すべきことは、第二の情報のうち、このＮ個の第一のリソースに対応する第一の値の順序が、Ｎ個の第一のリソースのリソース番号の順序に対応する。
【００６２】
例示的に、上述したＮ個の第一のリソースに対応する第一の値は、Ｎ個の第一のリソースそれぞれの第一の値を含み、いずれか一つの第一のリソースの第一の値は、この第一のリソースに対応する第一種の測定量を指示するために用いられる。
【００６３】
例１：上述したＮ個の第一のリソースそれぞれの第一の値は、いずれもこの第一のリソースの第一種の測定量である。例えば、ＲＳＲＱを例として、上述したＮ個の第一のリソースの第一の値は、このＮ個の第一のリソースのＲＳＲＱである。
【００６４】
例２：上述したＮ個の第一のリソースのうち第四のリソースの第一の値は、第一種の測定量であり、上述したＮ個の第一のリソースのうち、第四のリソース以外の残りのＮ−１つの第一のリソースの第一の値は、第一種の測定量の差分値である。そのうち、上述した第四のリソースは、Ｎ個の第一のリソースのうち、第一種の測定量が最大となる第一のリソースである。
【００６５】
留意すべきことは、上述したＮ−１つの第一のリソースのいずれか一つの第一のリソースの第一種の測定量の差分値は、このいずれか一つの第一のリソースの第一種の測定量と第四のリソースの第一種の測定量（即ち最大の第一種の測定量）の差分値であってもよく、第四のリソースの第一種の測定量とこのいずれか一つの第一のリソースの第一種の測定量の差分値であってもよい。本出願は、これを限定しない。
【００６６】
例を挙げて説明すると、第一種の測定量がＲＳＲＱであることを例として、第一の情報が４つのＳＳＢリソースのＲＳＲＱの報告を指示する場合、端末機器ネットは、ワーク機器によって配置されたＭ個のＳＳＢリソースから、４つのＳＳＢリソースのＲＳＲＱを選出して報告する。そのうち、選出された４つのＳＳＢリソースのリソース番号は、ＳＳＢＲＩ＃１、ＳＳＢＲＩ＃２、ＳＳＢＲＩ＃３及びＳＳＢＲＩ＃４であり、それに対応するＲＳＲＱは、それぞれＲＳＲＱ＃１、ＲＳＲＱ＃２、ＲＳＲＱ＃３、ＲＳＲＱ＃４である。上述したＳＳＢＲＩ＃１が、ＲＳＲＱが最大となるＳＳＢリソースの番号である場合、ＳＳＢＲＩ＃２に対応する第一の値は、差分ＲＳＲＱ＃２（即ちＲＳＲＱ＃２−ＲＳＲＱ＃１）であり、ＳＳＢＲＩ＃３に対応する第一の値は、差分ＲＳＲＱ＃３（即ちＲＳＲＱ＃３−ＲＳＲＱ＃１）であり、ＳＳＢＲＩ＃４に対応する第一の値は、差分ＲＳＲＱ＃４（即ちＲＳＲＱ＃４−ＲＳＲＱ＃１）である。具体的には、対応するＣＳＩレポートは、以下のテーブル１に示すようになる：
【００６７】
【表１】
2022501950.tif 000003
【００６８】
留意すべきことは、上記テーブル３は、ただ一つの例に過ぎず、実際の使用には、上述した第一種の測定量は、ＲＳＲＰまたはＳＩＮＲであってもよい。
【００６９】
２、少なくとも一つの第二種の測定量に対応する第三の情報について
【００７０】
さらに、上述したいずれか一つの第二種の測定量の第三の情報は、Ｙ個の第一のリソースのリソース番号及び対応する第二の値を含み、または、上述したいずれか一つの第二種の測定量の第三の情報は、Ｙ個の第一のリソースの第二の値を含む。
【００７１】
そのうち、上述した第二の値は、Ｙ個の第一のリソースに対応するこのいずれか一つの第二種の測定量を指示するために用いられる。
【００７２】
そのうち、上述したＮ個の第一のリソースは、ネットワーク機器によって端末機器に対して配置されたＭ個の第一のリソースのうちの少なくとも一つであり、上述したＹ個の第一のリソースは、ネットワーク機器によって端末機器に対して配置されたＭ個の第一のリソースのうちの少なくとも一つである。Ｍ、Ｎは、１以上であり、Ｙは、０以上であり、Ｍは、Ｎ以上であり、Ｍは、Ｙ以上であり、Ｎは、Ｙ以上である。
【００７３】
留意すべきことは、上述したＹ個の第一のリソースは、上述したＮ個の第一のリソースとまったく異なりまたは部分的に異なり、または、上述したＹ個の第一のリソースは、上記Ｎ個の第一のリソースの一部または全部の第一のリソースと同じであってもよい。即ち、上述した第一の情報がＲＳＲＰ、ＲＳＲＱ及びＳＩＮＲのうちの少なくとも二種の測定量を指示するために用いられる場合に、第一の情報によって指示されて報告された毎種の測定量及び対応する配置が異なる可能性があるため、端末機器によって報告されたＣＳＩレポートに含まれる毎種の測定量に対応するリソース番号及びリソース数が同じである可能性もあるし、異なる可能性もあるようになる。
【００７４】
例示的に、上述したＹ個の第一のリソースに対応する第二の値は、Ｙ個の第一のリソースそれぞれの第二の値を含み、いずれか一つの第一のリソースの第二の値は、この第一のリソースに対応するこのいずれか一つの第二種の測定量を指示するために用いられる。
【００７５】
例３：上述したＹ個の第一のリソースそれぞれの第二の値は、いずれもこの第一のリソースのこのいずれか一つの第二種の測定量である。例えば、ＲＳＲＰを例として、上述したＹ個の第一のリソースの第二の値は、このＹ個の第一のリソースのＲＳＲＰである。
【００７６】
例４：上述したＹ個の第一のリソースのうちの第五のリソースの第二の値は、このいずれか一つの第二種の測定量であり、上述したＹ個の第一のリソースのうち、第五のリソース以外のＹ−１つの第一のリソースの第二の値は、このいずれか一つの第二種の測定量の差分値である。
【００７７】
留意すべきことは、上述したＹ−１つの第一のリソースのいずれか一つの第一のリソースの第一種の測定量の差分値は、このいずれか一つの第一のリソースの第二種の測定量と第五のリソースの第二種の測定量の差分値であってもよく、第五のリソースの第二種の測定量とこのいずれか一つの第一のリソースの第二種の測定量の差分値であってもよい。本出願は、これを限定しない。
【００７８】
例４−１：上述した第五のリソースは、Ｙ個の第一のリソースのうち、このいずれか一つの第二種の測定量が最大となる第一のリソースであり、即ち上述したＹ個の第一のリソースの第二の値と上述したＮ個の第一のリソースの第一の値とは関係がない。端末機器は、このＹ個の第一のリソースのこのいずれか一つの第二種の測定量のうちの最大の測定量に対応する第一のリソースを第五のリソースとする。
【００７９】
一つの例では、上述した第五のリソースがＹ個の第一のリソースのうち、このいずれか一つの第二種の測定量が最大となる第一のリソースの場合に、上述したいずれか一つの第二種の測定量の第三の情報は、Ｙ個の第一のリソースのリソース番号及び対応する第二の値を含む。
【００８０】
例を挙げて説明すると、第一種の測定量がＲＳＲＱであり、第二種の測定量がＲＳＲＰであることを例として、第一の情報は、４つのＳＳＢリソースのＲＳＲＱ、及び４つのＳＳＢリソースのＲＳＲＰの報告を指示する。端末機器によってＲＳＲＱに対して選出された４つのＳＳＢリソースのリソース番号は、それぞれＳＳＢＲＩ＃１１、ＳＳＢＲＩ＃１２、ＳＳＢＲＩ＃１３及びＳＳＢＲＩ＃１４であり、ＲＳＲＰに対して選出された４つのＳＳＢリソースのリソース番号は、それぞれＳＳＢＲＩ＃２１、ＳＳＢＲＩ＃２２、ＳＳＢＲＩ＃２３及びＳＳＢＲＩ＃２４である。具体的には、対応するＣＳＩレポートは、以下のテーブル２に示すようになる。
【００８１】
【表２】
2022501950.tif 000004
【００８２】
そのうち、上記テーブル２における差分ＲＳＲＰ＃２２、差分ＲＳＲＰ＃２３及び差分ＲＳＲＰ＃２４の紹介は、上記テーブル１における差分ＲＳＲＰに関する紹介を参照すればよい。ここで説明を省略する。
【００８３】
留意すべきことは、上述したテーブル２は、ただ一つの例に過ぎず、実際の使用においては、このシーンで、ＲＳＲＰとＲＳＲＱの報告とが独立しているため、第一種の測定量（ＲＳＲＱ）と第二種の測定量（ＲＳＲＰ）それぞれの測定結果に基づき、ＲＳＲＰに対応する第一のリソース番号とＲＳＲＱに対応する第一のリソース番号とが同じである可能性もあるし、異なる可能性もあるようになる。
【００８４】
もう一つの例では、上述した第五のリソースが、Ｙ個の第一のリソースのうち、このいずれか一つの第二種の測定量が最大となる第一のリソースであり、且つ上述したＹ個の第一のリソースと上述したＮ個の第一のリソースとが同じである（ＹがＮに等しい）場合に、上述したいずれか一つの第二種の測定量の第三の情報は、第五のリソースのリソース番号及びＹ個の第一のリソースに対応する第二の値を含む。
【００８５】
例を挙げて説明すると、第一種の測定量がＲＳＲＰであり、第二種の測定量がＲＳＲＱであることを例として、第一の情報は、４つのＣＳＩ−ＲＳリソースのＲＳＲＰ及びＲＳＲＱの報告を指示する。そのうち、端末機器によってＲＳＲＰに対して選出された４つのＣＳＩ−ＲＳリソースのリソース番号は、それぞれＣＲＩ＃１、ＣＲＩ＃２、ＣＲＩ＃３及びＣＲＩ＃４であり、それに対応する第一の値は、それぞれＲＳＲＰ＃１、差分ＲＳＲＰ＃２、差分ＲＳＲＰ＃３及び差分ＲＳＲＰ＃４であり、且つ最大のＲＳＲＰに対応するＣＳＩ−ＲＳリソースのリソース番号は、ＳＳＢＲＩ＃１（即ち第四のリソース）であり、対応するＲＳＲＱは、それぞれＲＳＲＱ＃１、ＲＳＲＱ＃２、ＲＳＲＱ＃３、ＲＳＲＱ＃４である。そのうち、ＣＲＩ＃３に対応するＲＳＲＱ＃３は、この四つのＣＳＩ−ＲＳリソースのＲＳＲＱのうちの最大値である。ＲＳＲＰに対応する４つのリソースがＲＳＲＱに対応する４つのリソースと同じであるため、ＲＳＲＱ端末機器については、ＣＲＩ＃３（即ち第五のリソース）のみが報告され、他のＣＳＩ−ＲＳリソースのリソース番号が報告されなく、且つ第五のリソース以外、他のリソースのＲＳＲＱが差分ＲＳＲＱの形で報告されてもよい。具体的には、対応するＣＳＩレポートは、以下のテーブル３に示すようになる。
【００８６】
【表３】
2022501950.tif 000005
【００８７】
上記テーブル３から分かるように、ＣＲＩ＃３に対応するＣＳＩ−ＲＳリソースは、第五のリソースであり、それに対応する第二の値は、ＲＳＲＱであり、他のＣＳＩ−ＲＳリソースに対応する第二の値は、差分ＲＳＲＱである。
【００８８】
説明すべきことは、上述したＲＳＲＱ＃３が４つのＲＳＲＱのうちの最大値であるため、上述した差分ＲＳＲＱ＃１、差分ＲＳＲＱ＃２及び差分ＲＳＲＱ＃４に対応する符号が同じとなり、即ちいずれも正となるかまたはいずれも負となる。
【００８９】
例４−２：上述した第五のリソースは、第四のリソースと同じである。
【００９０】
例示的に、上述したＮ個の第一のリソースと上述したＹ個の第一のリソースとが同じである（ＹがＮに等しい）場合に、上述した第五のリソースと第四のリソースとが同じである。具体的には、端末機器は、第四のリソースを基準して、Ｙ個の第一のリソースのうち、第四のリソース以外の他のリソースが報告すべき測定量を特定する。
【００９１】
一つの例では、上述したＮ個の第一のリソースと上述したＹ個の第一のリソースとが同じであり（即ちＹがＮに等しい）、このとき、それらの第一のリソースのリソース番号を再び報告する必要がなく、即ち第二種の測定量に対応する第三の情報は、Ｙ個の第一のリソースに対応する第二の値のみを含んでもよい。
【００９２】
例を挙げて説明すると、第一種の測定量がＲＳＲＱであり、第二種の測定量がＲＳＲＰであることを例として、第一の情報は、４つのＳＳＢリソースのＲＳＲＱ及び４つのＳＳＢリソースのＲＳＲＰの報告を指示する。まず、端末機器によってＲＳＲＱに対して選出された４つのＳＳＢリソースのリソース番号は、それぞれＳＳＢＲＩ＃１、ＳＳＢＲＩ＃２、ＳＳＢＲＩ＃３及びＳＳＢＲＩ＃４であり、且つ最大のＲＳＲＱに対応するＳＳＢリソースのリソース番号は、ＳＳＢＲＩ＃１（即ち第四のリソース）である。このとき、ＳＳＢＲＩ＃１を第五のリソース、即ち報告ＳＳＢＲＩ＃１に対応するＲＳＲＰ、ＳＳＢＲＩ＃２、ＳＳＢＲＩ＃３及びＳＳＢＲＩ＃４に対応する差分ＲＳＲＰとしてもよい。具体的には、テーブル１を結び付けながら、対応するＣＳＩレポートは、以下のテーブル４に示すようになる。
【００９３】
【表４】
2022501950.tif 000006
【００９４】
説明すべきことは、上述したＲＳＲＰ＃１は、必ずしもＳＳＢＲＩ＃１、ＳＳＢＲＩ＃２、ＳＳＢＲＩ＃３及びＳＳＢＲＩ＃４の４つのＳＳＢリソースのＲＳＲＰのうちの最大値であるものではないため、上述した差分ＲＳＲＰ＃２、差分ＲＳＲＰ＃３及び差分ＲＳＲＰ＃４の符号が同じである可能性もあるし、異なる可能性もある。即ち正となる可能性もあるし、負となる可能性もある。
【００９５】
例を挙げて説明すると、上記テーブル４を結び付ける。テーブル４における第二種の測定量がさらにＳＩＮＲを含む場合、テーブル４を結び付けながら、対応するＣＳＩレポートは、以下のテーブル５に示すようになる。
【００９６】
【表５】
2022501950.tif 000007
【００９７】
留意すべきことは、上述した第五のリソースは、第四のリソースを基準として選出されたものであるため、テーブル４、テーブル５におけるＲＳＲＰ＃１は、必ずしもＲＳＲＰ＃１、ＲＳＲＰ＃２、ＲＳＲＰ＃３及びＲＳＲＰ＃４のうちの最大値ではない。同様な理由で、テーブル５におけるＳＩＮＲ＃１は、必ずしもＳＩＮＲ＃１、ＳＩＮＲ＃２、ＳＩＮＲ＃３及びＳＩＮＲ＃４のうちの最大値ではない。
【００９８】
例示的に、上述した第三の情報のうちのＹ個の第一のリソースのリソース番号の順序及び／又はＹ個の第一のリソースに対応する第二の値の順序は、上述した第二の情報におけるＮ個の第一のリソースのうちのＹ個の第一のリソースのリソース番号の順序（例えばテーブル３、テーブル４、テーブル５）に対応する。例えば、第一の情報は具体的に、上述した第三の情報のうちのＹ個の第一のリソースのリソース番号の順序及び／又はＹ個の第一のリソースに対応する第二の値の順序が上述した第二の情報におけるＮ個の第一のリソースのうちのＹ個の第一のリソースのリソース番号の順序に対応することを指示するために用いられる。
【００９９】
例示的に、端末機器は、第一種の測定量に基づき、第二の情報のうちのＮ個の第一のリソースのリソース番号の順序を特定し、その後、この順序に基づき第三の情報のうちのＹ個の第一のリソースのリソース番号の順序及び／又はＹ個の第一のリソースに対応する第二の値の順序を特定してもよい。
【０１００】
例示的に、上述したＮ個の第一のリソースは、上述したＭ個の第一のリソースの第一種の測定量が大きい順に並び替えられた後、ランキングで１番目からＮ番目までの第一種の測定量に対応する第一のリソースであり、上述したＹ個の第一のリソースは、このＮ個の第一のリソースのうち、第一種の測定量が設定しきい値よりも大きい第一のリソースである。
【０１０１】
例示的に、上述した第一の情報は、第一種の測定量をリファレンス測定量として指示するために用いられ、且つ前記端末機器へ、このリファレンス測定量に対応する第二の情報に基づく、第二種の測定量に対応する第三の情報の特定を指示するために用いられる。
【０１０２】
具体的には、端末機器が第一の情報を受信した後、このリファレンス測定量（即ち第一種の測定量）に基づき、Ｎ個の第一のリソースを特定し、即ちＭ個の第一のリソースから、リファレンス測定量が最大となるＮ個のリファレンス測定量に対応する第一のリソースを選出し、その後、このＮ個の第一のリソースのリファレンス測定量に基づき、上述したＹ個の第一のリソースを特定してもよい。
【０１０３】
説明すべきことは、上述したＹが０に等しい可能性があり、即ちＮ個の第一のリソースの第一種の測定量のうちの各第一種の測定量は、いずれも設定しきい値よりも小さい。このとき、上述した第三の情報は、空きであり、即ち第二種の測定量の任意の情報を報告しない。
【０１０４】
例を挙げて説明すると、第一種の測定量がＲＳＲＱであり、第二種の測定量がＲＳＲＰとＳＩＮＲであることを例として、第一の情報は、４つのＳＳＢリソースのＲＳＲＱ、及び４つのＳＳＢリソースのＲＳＲＱのうち、しきい値Ｔよりも大きいＳＳＢリソースに対応するＲＳＲＰとＳＩＮＲの報告を指示する。端末機器によってＲＳＲＱに対して選出された４つのＳＳＢリソースのリソース番号は、それぞれＳＳＢＲＩ＃１、ＳＳＢＲＩ＃２、ＳＳＢＲＩ＃３及びＳＳＢＲＩ＃４であり、且つＳＳＢＲＩ＃１のＲＳＲＱとＳＳＢＲＩ＃２のＲＳＲＱは、しきい値Ｔよりも大きい。このとき、Ｌ１−ＲＳＲＱのうちの最大値に対応するＳＳＢリソース（ＳＳＢＲＩ＃１）は、第四のリソースである。第五のリソースが第四のリソースである場合、ＳＳＢＲＩ＃１のＲＳＲＰとＳＩＮＲ（即ちＲＳＲＰ＃１と差分ＲＳＲＰ＃２）、及びＳＳＢＲＩ＃２のＲＳＲＰとＳＩＮＲ（即ちＳＩＮＲ＃１と差分ＳＩＮＲ＃２）を報告する。具体的には、テーブル１を結び付けながら、対応するＣＳＩレポートは、以下のテーブル６に示すようになる。
【０１０５】
【表６】
2022501950.tif 000008
【０１０６】
留意すべきことは、上述した差分値ＲＳＲＰ及び／又は差分値ＳＩＮＲは、正または負となる可能性がある。
【０１０７】
例を挙げて説明すると、第一種の測定量がＲＳＲＱであり、第二種の測定量がＲＳＲＰとＳＩＮＲであることを例として、第一の情報は、４つのＳＳＢリソースのＲＳＲＱ、及び４つのＳＳＢリソースのＲＳＲＱのうち、しきい値Ｔよりも大きいＳＳＢリソースに対応するＲＳＲＰとＳＩＮＲの報告を指示する。端末機器によってＲＳＲＱに対して選出された４つのＳＳＢリソースのリソース番号が、それぞれＳＳＢＲＩ＃１、ＳＳＢＲＩ＃２、ＳＳＢＲＩ＃３及びＳＳＢＲＩ＃４であり、且つＳＳＢＲＩ＃１のＲＳＲＱ、ＳＳＢＲＩ＃２のＲＳＲＱとＳＳＢＲＩ＃３のＲＳＲＱがしきい値Ｔよりも大きい場合、ＳＳＢＲＩ＃１のＲＳＲＰとＳＩＮＲ、ＳＳＢＲＩ＃２のＲＳＲＰとＳＩＮＲ及びＳＳＢＲＩ＃３のＲＳＲＰとＳＩＮＲを報告する。
【０１０８】
このとき、Ｌ１−ＲＳＲＱのうちの最大値に対応するＳＳＢリソース（ＳＳＢＲＩ＃１）は、第四のリソースであるとともに、第五のリソースを上記ＳＳＢＲＩ＃１、ＳＳＢＲＩ＃２およびＳＳＢＲＩ＃３のうちのＲＳＲＰまたはＳＩＮＲの最大値とする。ＳＳＢＲＩ＃１、ＳＳＢＲＩ＃２およびＳＳＢＲＩ＃３のうちのＲＳＲＰの最大値がＳＳＢＲＩ＃２に対応する場合、ＳＳＢＲＩ＃２は、第五のリソースである。そうすると、第五のリソースのリソース番号ＳＳＢＲＩ＃２、差分ＲＳＲＰ＃１、ＲＳＲＰ＃２と差分ＲＳＲＰ＃３を報告する。ＳＳＢＲＩ＃１、ＳＳＢＲＩ＃２およびＳＳＢＲＩ＃３のうちのＳＩＮＲの最大値がＳＳＢＲＩ＃３に対応する場合、ＳＳＢＲＩ＃３は、第五のリソースである。そうすると、第五のリソースのリソース番号ＳＳＢＲＩ＃３、差分ＲＳＲＰ＃１、差分ＲＳＲＰ＃２とＲＳＲＰ＃３を報告する。具体的には、テーブル１を結び付けながら、対応するＣＳＩレポートは、以下のテーブル７に示すようになる。
【０１０９】
【表７】
2022501950.tif 000009
【０１１０】
留意すべきことは、上述した複数の差分値ＲＳＲＰの符号が同じとなり、即ち、いずれも正または負となる。上述した複数の差分値ＳＩＮＲの符号が同じとなり、即ち、いずれも正または負となる。
【０１１１】
なお、説明すべきことは、上述したテーブル１、テーブル２、テーブル４、テーブル５、テーブル６及びテーブル７は、いずれもＲＳＲＱを第一種の測定量とする。実際の使用においては、ＲＳＲＰまたはＳＩＮＲを第一種の測定量としてもよい。ここで再び例を挙げて説明しない。
【０１１２】
第二種の選択的な実現形態では：
上述した第一の情報がＲＳＲＱとＳＩＮＲのうちのいずれか一種の測定量を指示するために用いられる場合について：
具体的には、上述した第一の情報がＲＳＲＱとＳＩＮＲのうちのいずれか一種の測定量を指示するために用いられる場合に、この第一の情報は、端末機器へ第四の情報の報告を指示するために用いられ、上述したＣＳＩレポートは、第四の情報を含む。
【０１１３】
そのうち、上述した第四の情報は、Ｎ個の第一のリソースの番号および対応する第三の値を含み、上述した第三の値は、Ｎ個の第一のリソースのいずれか一種の測定量（具体的には上述したテーブル１を参照すればよい）を指示するために用いられ、上述したＮ個の第一のリソースは、ネットワーク機器によって端末機器に対して配置されたＭ個の第一のリソースのうちの少なくとも一つであり、Ｍ、Ｎは、１以上であり、Ｍは、Ｎ以上である。
【０１１４】
例示的に、上述したＮ個の第一のリソースのうちの第六のリソースの第三の値は、このいずれか一種の測定量であり、上述したＮ個の第一のリソースのうち、第六のリソース以外のＮ−１つの第一のリソースの第三の値は、このいずれか一種の測定量の差分値である。上述した第六のリソースは、Ｎ個の第一のリソースのうち、このいずれか一種の測定量が最大となる第一のリソースである。
【０１１５】
留意すべきことは、上述したＮ−１つの第一のリソースのいずれか一つの第一のリソースの上記いずれか一種の測定量の差分値は、このいずれか一つの第一のリソースのこのいずれか一種の測定量と第六のリソースのこのいずれか一種の測定量（即ち最大のこのいずれか一種の測定量）との差分値であってもよく、第六のリソースのこのいずれか一種の測定量とこのいずれか一つの第一のリソースのこのいずれか一種の測定量の差分値であってもよい。本出願は、これを限定しない。
【０１１６】
本出願がＲＳＲＱ、ＳＩＮＲに対する定義と説明について：
【０１１７】
選択的に、本出願の実施例では、一つの第一のリソースのＲＳＲＱは、この第一のリソースにおいて測定されたＲＳＲＰとこの第一のリソースに対応する第二のリソースにおいて測定されたＲＳＳＩとの比率である。具体的には、一つの第一のリソースのＲＳＲＱは、この第一のリソースにおいて測定されたＲＳＲＰのＨ倍とこの第一のリソースに対応する第二のリソースにおいて測定されたＲＳＳＩとの比率である。そのうち、Ｈは、周波数領域における第一のリソースのＲＢ数である。第一のリソースと第二のリソースの周波数領域帯域幅とが一致していれば、Ｈは、したがって同様にＲＳＳＩの測定帯域幅のＲＢ数である。
【０１１８】
選択的に、本出願の実施例では、一つの第一のリソースのＳＩＮＲは、第一のリソースにおいて測定された信号受信パワーの線形平均値とこの第一のリソースに対応する第三のリソースにおいて測定された雑音及び干渉パワーの比率である。
【０１１９】
本出願の実施例では、上述した第二のリソースは、ＲＳＳＩを測定するために用いられる。そのうち、一つの第二のリソースが、少なくとも一つの第一のリソースに対応し、即ち上述した第二のリソースと第一のリソースとの間は、一対一で対応してもよく、一つの第二のリソースが複数の第一のリソースに対応してもよい。
【０１２０】
本出願の実施例では、上述した第三のリソースは、雑音及び干渉パワーを測定するために用いられる。そのうち、一つの第三のリソースが、少なくとも一つの第一のリソースに対応し、即ち上述した第三のリソースと第一のリソースとの間は、一対一で対応してもよく、一つの第三のリソースが複数の第一のリソースに対応してもよい。
【０１２１】
さらに選択的に、本出願の実施例では、上述した第二のリソースは、プロトコルにおいてデフォルト設定されたリソースであり、または、上述した第二のリソースは、ネットワーク機器によって端末機器に対して配置されたリソースである。
【０１２２】
さらに選択的に、本出願の実施例では、上述した第三のリソースは、プロトコルにおいてデフォルト設定されたリソースであり、または、上述した第三のリソースは、ネットワーク機器によって端末機器に対して配置されたリソースである。
【０１２３】
一つの例では、ネットワーク機器によって端末機器に対して第二のリソースと／第三のリソースとして干渉測定リソース（Ｉｎｔｅｒｆｅｒｅｎｃｅ  Ｍｅａｓｕｒｅｍｅｎｔ  Ｒｅｓｏｕｒｃｅ、ＩＭＲ）が配置された場合、一つの干渉測定リソースが、少なくとも一つの第一のリソースに対応する。例示的に、ネットワーク機器によって端末機器に対して配置された干渉測定リソースと対応する第一のリソースは、少なくともＱＣＬである。ネットワーク機器によって端末機器に対して配置された干渉測定リソースの占める帯域幅と対応する第一のリソースの占める帯域幅と一致している。
【０１２４】
本出願の実施例では、上述した第二のリソースまたは第三のリソースがプロトコルにおいてデフォルト設定されたリソースである場合に、上述した第二のリソースまたは第三のリソースは、配置されているＰＤＣＣＨ  ＤＭＲＳ及び配置されているＰＤＣＣＨのうちのいずれか一項を含む。例示的に、ＳＳＢのＳＩＮＲについて：デフォルト設定された第三のリソースは、セカンダリー同期信号、ＰＢＣＨの復調リファレンス信号（ＤＭＲＳ）であってもよい。
【０１２５】
さらに選択的に、本出願の実施例では、上述したＲＳＳＩと雑音及び干渉パワーは、端末機器によってＳＳＢリソースまたはＣＳＩ−ＲＳリソースのＲＥ（リソース粒子）で測定されたもの、または、端末機器によって配置されているＰＤＣＣＨ  ＤＭＲＳ及び配置されているＰＤＣＣＨのＯＦＤＭ符号で測定されたものである。
【０１２６】
さらに選択的に、本出願の実施例では、上述したＲＳＲＰ及び信号受信パワーは、端末機器によってＳＳＢリソースまたはＣＳＩ−ＲＳリソースのＲＥで測定されたもの、または、ＳＳＢリソースまたはＣＳＩ−ＲＳリソースに対応する周波数領域のＲＢと時間領域のＯＦＤＭ符号で測定されたものである。
【０１２７】
さらに選択的に、本出願の実施例では、上述した第一のリソースがＣＳＩ−ＲＳリソースである場合に、ネットワーク機器によって端末機器に対してＣＳＩ−ＲＳリソースに対応する第二のリソース及び／又は第三のリソースが配置されていない。このとき、端末機器は、デフォルト設定されたリソースを使用して、第二のリソース及び／又は第三のリソースとする。
【０１２８】
一つの例では、ネットワーク機器によって端末機器に対してＣＳＩ−ＲＳリソースに対応する第二のリソース及び／又は第三のリソースが配置されていない場合に、第一のリソースに対応する第三のリソースにおいて測定されたリソース粒子（ＲＥ）の雑音及び干渉パワー（ワット）の線形平均値は、端末機器によって第一のパワーに基づいて得られるものである。このとき、上述した第一のリソースに対応する第二のリソースは、この第一のリソース、即ちＣＳＩ−ＲＳリソースである。一つのＣＳＩ−ＲＳリソースに対応する測定量ＲＳＳＩは、このＣＳＩ−ＲＳリソース内のすべての伝送ＣＳＩ−ＲＳのリソース粒子における総受信パワー（ワット）の線形平均値である。
【０１２９】
そのうち、上述した第一のパワーは、各第一のリソース（即ちＣＳＩ−ＲＳリソース）内の伝送ＣＳＩ−ＲＳによって使用されるリソース粒子における受信パワー（ワット）の線形平均値とチャネル推定によって得られる伝送ＣＳＩ−ＲＳ信号のリソース粒子のＣＳＩ−ＲＳパワー（ワット）の線形平均値との差分値である。
【０１３０】
さらに選択的に、本出願の実施例では、上述した第一のリソースがＳＳＢリソースである場合に、ネットワーク機器によって端末機器に対してＳＳＢリソースに対応する第二のリソース及び／又は第三のリソースが配置される。
【０１３１】
本出願の実施例によるＣＳＩレポート報告方法によると、ネットワーク機器が端末機器へ第一の情報を送信することで端末機器へ指示して報告したＣＳＩレポートには、ＲＳＲＱとＳＩＮＲが含まれ、または、端末機器へ指示して報告したＣＳＩレポートには、ＲＳＲＰ、ＲＳＲＱ及びＳＩＮＲのうちの少なくとも二種が含まれ、即ち伝統的なＣＳＩレポートにはＲＳＲＱ及び／又はＳＩＮＲが増加されている。これによって、ＣＳＩレポートには干渉因子が考慮されているようになり、さらにネットワーク機器がこのＣＳＩレポートに基づき正確に端末機器に対して最適なビームを選出できるようになり、通信効率及び効能を向上させる。
【０１３２】
図３に示すように、本出願の実施例は、端末機器３００を提供する。この端末機器３００は、
ネットワーク機器から、ＲＳＲＱ、ＳＩＮＲのいずれか一種の測定量を指示するかまたはＲＳＲＰ、ＲＳＲＱ及びＳＩＮＲのうちの少なくとも二種の測定量を指示するための第一の情報を受信するための受信モジュール３０１、および
受信モジュール３０１によって受信された第一の情報に基づき、ネットワーク機器へ、第一の情報によって指示された測定量を含むＣＳＩレポートを報告するための送信モジュール３０２を含む。
【０１３３】
選択的に、上述した第一の情報がＲＳＲＰ、ＲＳＲＱ及びＳＩＮＲのうちの少なくとも二種の測定量を指示するために用いられる場合に、上述した第一の情報は、端末機器へ第一種の測定量に対応する第二の情報と少なくとも一つの第二種の測定量に対応する第三の情報の報告を指示するために用いられ、上述したＣＳＩレポートは、第二の情報と第三の情報を含み、そのうち、上述した第一種の測定量は、少なくとも二種の測定量のうちの一種であり、上述した少なくとも一つの第二種の測定量は、少なくとも二種の測定量のうち、第一種の測定量以外の他の測定量である。
【０１３４】
選択的に、上述した第二の情報は、Ｎ個の第一のリソースのリソース番号及び対応する第一の値を含み、上述した第一の値は、Ｎ個の第一のリソースに対応する第一種の測定量を指示するために用いられ、いずれか一つの第二種の測定量の第三の情報は、Ｙ個の第一のリソースのリソース番号及び対応する第二の値、または、上述した第二の値を含み、上述した第二の値は、Ｙ個の第一のリソースに対応するこのいずれか一つの第二種の測定量を指示するために用いられ、上述したＮ個の第一のリソースまたは上述したＹ個の第一のリソースは、ネットワーク機器によって端末機器に対して配置されたＭ個の第一のリソースのうちの少なくとも一つであり、上述したＭ個の第一のリソースは、Ｍ個のＣＳＩ−ＲＳリソースまたはＭ個のＳＳＢリソースを含み、Ｍ、Ｎは、１以上であり、Ｙは、０以上であり、Ｍは、Ｎ以上であり、Ｍは、Ｙ以上であり、Ｎは、Ｙ以上である。
【０１３５】
選択的に、上述したＹ個の第一のリソースと上述したＮ個の第一のリソースの一部または全部の第一のリソースと同じである。
【０１３６】
選択的に、上述した第三の情報のうちのＹ個の第一のリソースのリソース番号の順序及び／又はＹ個の第一のリソースに対応する第二の値の順序は、上述した第二の情報におけるＮ個の第一のリソースのうちのＹ個の第一のリソースのリソース番号の順序に対応する。
【０１３７】
選択的に、上述したＮ個の第一のリソースは、Ｍ個の第一のリソースの第一種の測定量が大きい順に並び替えられた後、ランキングで１番目からＮ番目までの第一種の測定量に対応する第一のリソースであり、上述したＹ個の第一のリソースは、Ｎ個の第一のリソースのうち、第一種の測定量が設定しきい値よりも大きい第一のリソースである。
【０１３８】
選択的に、上述した第一の情報がＲＳＲＱとＳＩＮＲのうちのいずれか一種の測定量を指示するために用いられる場合に、上述した第一の情報は、端末機器へ第四の情報の報告を指示するために用いられ、このＣＳＩレポートは、第四の情報を含み、上述した第四の情報は、Ｎ個の第一のリソースの番号および対応する第三の値を含み、第三の値は、Ｎ個の第一のリソースのいずれか一種の測定量を指示するために用いられ、上述したＮ個の第一のリソースは、ネットワーク機器によって端末機器に対して配置されたＭ個の第一のリソースのうちの少なくとも一つであり、上述したＭ個の第一のリソースは、Ｍ個のＣＳＩ−ＲＳリソースまたはＭ個のＳＳＢリソースを含み、Ｍ、Ｎは、１以上であり、Ｍは、Ｎ以上である。
【０１３９】
選択的に、一つの第一のリソースのＲＳＲＱは、この第一のリソースにおいて測定されたＲＳＲＰと第一のリソースに対応する第二のリソースにおいて測定されたＲＳＳＩの比率であり、一つの第一のリソースのＳＩＮＲは、この第一のリソースにおいて測定されたリソース粒子の信号受信パワーの線形平均値とこの第一のリソースに対応する第三のリソースにおいて測定されたリソース粒子の雑音及び干渉パワーの線形平均値の比率であり、そのうち、一つの第二のリソースが、少なくとも一つの第一のリソースに対応し、及び／又は、一つの第三のリソースが、少なくとも一つの第一のリソースに対応する。
【０１４０】
選択的に、上述した第二のリソースは、プロトコルにおいてデフォルト設定されたリソースであり、または、上述した第二のリソースは、ネットワーク機器によって端末機器に対して配置されたリソースであり、上述した第三のリソースは、プロトコルにおいてデフォルト設定されたリソースであり、または、上述した第三のリソースは、ネットワーク機器によって端末機器に対して配置されたリソースである。
【０１４１】
本出願の実施例による端末機器によると、ネットワーク機器から送信された第一の情報を受信することで端末機器へ指示して報告したＣＳＩレポートには、ＲＳＲＱとＳＩＮＲが含まれ、または、端末機器へ指示して報告したＣＳＩレポートには、ＲＳＲＰ、ＲＳＲＱ及びＳＩＮＲのうちの少なくとも二種が含まれ、即ち伝統的なＣＳＩレポートにはＲＳＲＱ及び／又はＳＩＮＲが増加されている。これによって、ＣＳＩレポートには干渉因子が考慮されているようになり、さらにネットワーク機器がこのＣＳＩレポートに基づき正確に端末機器に対して最適なビームを選出できるようになり、通信効率及び効能を向上させる。
【０１４２】
本出願の実施例による端末機器は、上記方法の実施例に示すプロセスを実現することができる。説明の重複を回避するために、ここでは説明を省略する。
【０１４３】
図４に示すように、図４は、本出願の実施例によるネットワーク機器の構成模式図である。このネットワーク機器４００は、送信モジュール４０１を含み、そのうち、
送信モジュール４０１は、端末機器へ第一の情報を送信するために用いられる。
【０１４４】
そのうち、上述した第一の情報は、ＲＳＲＱ、ＳＩＮＲのいずれか一種の測定量を指示するために用いられ、または、上述した第一の情報は、ＲＳＲＰ、ＲＳＲＱ及びＳＩＮＲのうちの少なくとも二種の測定量を指示するために用いられ、上述した第一の情報は、端末機器へ、第一の情報に基づくネットワーク機器へのＣＳＩレポートの報告を指示するために用いられ、このＣＳＩレポートは、第一の情報によって指示された測定量を含む。
【０１４５】
選択的に、上述した第一の情報がＲＳＲＰ、ＲＳＲＱ及びＳＩＮＲのうちの少なくとも二種の測定量を指示するために用いられる場合に、上述した第一の情報は、端末機器へ第一種の測定量に対応する第二の情報と少なくとも一つの第二種の測定量に対応する第三の情報の報告を指示するために用いられ、上述したＣＳＩレポートは、第二の情報と第三の情報を含み、そのうち、上述した第一種の測定量は、少なくとも二種の測定量のうちの一種であり、上述した少なくとも一つの第二種の測定量は、少なくとも二種の測定量のうち、第一種の測定量以外の他の測定量である。
【０１４６】
選択的に、上述した第二の情報は、Ｎ個の第一のリソースのリソース番号及び対応する第一の値を含み、上述した第一の値は、Ｎ個の第一のリソースに対応する第一種の測定量を指示するために用いられ、いずれか一つの第二種の測定量の第三の情報は、Ｙ個の第一のリソースのリソース番号及び対応する第二の値、または、上述した第二の値を含み、上述した第二の値は、Ｙ個の第一のリソースに対応するこのいずれか一つの第二種の測定量を指示するために用いられ、上述したＮ個の第一のリソースまたは上述したＹ個の第一のリソースは、ネットワーク機器によって端末機器に対して配置されたＭ個の第一のリソースのうちの少なくとも一つであり、上述したＭ個の第一のリソースは、Ｍ個のＣＳＩ−ＲＳリソースまたはＭ個のＳＳＢリソースを含み、Ｍ、Ｎは、１以上であり、Ｙは、０以上であり、Ｍは、Ｎ以上であり、Ｍは、Ｙ以上であり、Ｎは、Ｙ以上である。
【０１４７】
選択的に、上述したＹ個の第一のリソースと上述したＮ個の第一のリソースの一部または全部の第一のリソースとが同じである。
【０１４８】
選択的に、上述した第三の情報のうちのＹ個の第一のリソースのリソース番号の順序及び／又はＹ個の第一のリソースに対応する第二の値の順序は、上述した第二の情報におけるＮ個の第一のリソースのうちのＹ個の第一のリソースのリソース番号の順序に対応する。
【０１４９】
選択的に、上述したＮ個の第一のリソースは、Ｍ個の第一のリソースの第一種の測定量が大きい順に並び替えられた後、ランキングで１番目からＮ番目までの第一種の測定量に対応する第一のリソースであり、上述したＹ個の第一のリソースは、Ｎ個の第一のリソースのうち、第一種の測定量が設定しきい値よりも大きい第一のリソースである。
【０１５０】
選択的に、上述した第一の情報がＲＳＲＱとＳＩＮＲのうちのいずれか一種の測定量を指示するために用いられる場合に、上述した第一の情報は、端末機器へ第四の情報の報告を指示するために用いられ、このＣＳＩレポートは、第四の情報を含み、上述した第四の情報は、Ｎ個の第一のリソースの番号および対応する第三の値を含み、第三の値は、Ｎ個の第一のリソースのいずれか一種の測定量を指示するために用いられ、上述したＮ個の第一のリソースは、ネットワーク機器によって端末機器に対して配置されたＭ個の第一のリソースのうちの少なくとも一つであり、上述したＭ個の第一のリソースは、Ｍ個のＣＳＩ−ＲＳリソースまたはＭ個のＳＳＢリソースを含み、Ｍ、Ｎは、１以上であり、Ｍは、Ｎ以上である。
【０１５１】
選択的に、一つの第一のリソースのＲＳＲＱは、この第一のリソースにおいて測定されたＲＳＲＰと第一のリソースに対応する第二のリソースにおいて測定されたＲＳＳＩの比率であり、一つの第一のリソースのＳＩＮＲは、この第一のリソースにおいて測定されたリソース粒子の信号受信パワーの線形平均値とこの第一のリソースに対応する第三のリソースにおいて測定されたリソース粒子の雑音及び干渉パワーの線形平均値の比率であり、そのうち、一つの第二のリソースが、少なくとも一つの第一のリソースに対応し、及び／又は、一つの第三のリソースが、少なくとも一つの第一のリソースに対応する。
【０１５２】
選択的に、上述した第二のリソースは、プロトコルにおいてデフォルト設定されたリソースであり、または、上述した第二のリソースは、ネットワーク機器によって端末機器に対して配置されたリソースであり、上述した第三のリソースは、プロトコルにおいてデフォルト設定されたリソースであり、または、上述した第三のリソースは、ネットワーク機器によって端末機器に対して配置されたリソースである。
【０１５３】
選択的に、第一のリソースがＣＳＩ−ＲＳリソースである場合に、ネットワーク機器によって端末機器に対してこのＣＳＩ−ＲＳリソースに対応する第二のリソース及び／又は第三のリソースが配置されない。
【０１５４】
選択的に、第一のリソースがＳＳＢリソースである場合に、ネットワーク機器によって端末機器に対してＳＳＢリソースに対応する第二のリソース及び／又は第三のリソースが配置される。
【０１５５】
本出願の実施例によるネットワーク機器によると、このネットワーク機器が端末機器へ第一の情報を送信することで端末機器へ指示して報告したＣＳＩレポートには、ＲＳＲＱとＳＩＮＲが含まれ、または、端末機器へ指示して報告したＣＳＩレポートには、ＲＳＲＰ、ＲＳＲＱ及びＳＩＮＲのうちの少なくとも二種が含まれ、即ち伝統的なＣＳＩレポートにはＲＳＲＱ及び／又はＳＩＮＲが増加されている。これによって、ＣＳＩレポートには干渉因子が考慮されているようになり、さらにネットワーク機器がこのＣＳＩレポートに基づき正確に端末機器に対して最適なビームを選出できるようになり、通信効率及び効能を向上させる。
【０１５６】
本出願の実施例による端末機器は、上記方法の実施例に示すプロセスを実現することができる。説明の重複を回避するために、ここでは説明を省略する。
【０１５７】
図５は、本出願の各実施例の端末機器を実現するハードウェア構成模式図、この端末機器１００は、無線周波数ユニット１０１、ネットワークモジュール１０２、オーディオ出力ユニット１０３、入力ユニット１０４、センサ１０５、表示ユニット１０６、ユーザ入力ユニット１０７、インターフェースユニット１０８、メモリ１０９、プロセッサ１１０、及び電源１１１などの部材を含むが、それらに限らない。当業者であれば理解できるように、図５に示す端末機器１００の構成は、端末機器に対する限定を構成しなく、端末機器１００には、図示された部材の数よりも多くまたは少ない部材、または何らかの部材の組み合わせ、または異なる部材の配置が含まれてもよい。本出願の実施例では、端末機器１００は、携帯電話、タブレットコンピュータ、ノートパソコン、パームトップコンピュータ、車載端末機器、ウェアラブルデバイス、及び歩数計などを含むが、それらに限らない。
【０１５８】
そのうち、無線周波数ユニット１０１は、ネットワーク機器から第一の情報を受信するために用いられる。そのうち、上述した第一の情報は、ＲＳＲＱ、ＳＩＮＲのいずれか一種の測定量を指示するために用いられ、または、上述した第一の情報は、ＲＳＲＰ、ＲＳＲＱ及びＳＩＮＲのうちの少なくとも二種の測定量を指示するために用いられる。無線周波数ユニット１０１は、第一の情報に基づき、ネットワーク機器へＣＳＩレポートを報告するために用いられる。このＣＳＩレポートは、第一の情報によって指示された測定量を含む。
【０１５９】
本出願の実施例による端末機器によると、ネットワーク機器から送信された第一の情報を受信することで端末機器へ指示して報告したＣＳＩレポートには、ＲＳＲＱとＳＩＮＲが含まれ、または、端末機器へ指示して報告したＣＳＩレポートには、ＲＳＲＰ、ＲＳＲＱ及びＳＩＮＲのうちの少なくとも二種が含まれ、即ち伝統的なＣＳＩレポートにはＲＳＲＱ及び／又はＳＩＮＲが増加されている。これによって、ＣＳＩレポートには干渉因子が考慮されているようになり、さらにネットワーク機器がこのＣＳＩレポートに基づき正確に端末機器に対して最適なビームを選出できるようになり、通信効率及び効能を向上させる。
【０１６０】
理解すべきことは、本出願の実施例では、無線周波数ユニット１０１は、情報の送受信または通話中の信号の送受信に用いられてもよい。具体的には、基地局からの下りリンクデータを受信してから、プロセッサ１１０に処理させてもよい。また、上りデータを基地局に送信してもよい。一般的には、無線周波数ユニット１０１は、アンテナ、少なくとも一つの増幅器、送受信機、カプラ、低雑音増幅器、デュプレクサなどを含むが、それらに限らない。なお、無線周波数ユニット１０１は、無線通信システムやネットワークによって、他の機器との通信を行ってもよい。
【０１６１】
端末機器１００は、ネットワークモジュール１０２によってユーザに無線のブロードバンドインターネットアクセスを提供し、例えば、ユーザへ電子メールの送受信、ウェブページの閲覧、ストリーミングメディアへのアクセスなどを支援する。
【０１６２】
オーディオ出力ユニット１０３は、無線周波数ユニット１０１またはネットワークモジュール１０２によって受信されたまたはメモリ１０９に記憶されたオーディオデータをオーディオ信号に変換して、音声として出力することができる。そして、オーディオ出力ユニット１０３はさらに、端末機器１００によって実行された特定の機能に関連するオーディオ出力（例えば、呼び信号受信音、メッセージ着信音など）を提供することができる。オーディオ出力ユニット１０３は、スピーカ、ブザー及び受話器などを含む。
【０１６３】
入力ユニット１０４は、オーディオまたはビデオ信号を受信するために用いられる。入力ユニット１０４は、グラフィックスプロセッサ（Ｇｒａｐｈｉｃｓ  Ｐｒｏｃｅｓｓｉｎｇ  Ｕｎｉｔ、ＧＰＵ）１０４１とマイクロホン１０４２を含んでもよい。グラフィックスプロセッサ１０４１は、ビデオキャプチャモードまたは画像キャプチャモードにおいて画像キャプチャ装置（例えば、カメラ）によって得られた静止画像またはビデオの画像データを処理する。処理された画像フレームは、表示ユニット１０６に表示されてもよい。グラフィックスプロセッサ１０４１によって処理された画像フレームは、メモリ１０９（または他の記憶媒体）に記憶されてもよく、または無線周波数ユニット１０１またはネットワークモジュール１０２を介して送信されてもよい。マイクロホン１０４２は、音声を受信することができるとともに、このような音声をオーディオデータとして処理することができる。処理されたオーディオデータは、電話の通話モードにおいて、無線周波数ユニット１０１を介して移動通信基地局に送信することが可能なフォーマットに変換して出力することができる。
【０１６４】
端末機器１００はさらに、少なくとも一つのセンサ１０５、例えば、光センサ、運動センサ及び他のセンサを含む。具体的には、光センサは、環境光センサ及接近センサを含み、そのうち、環境光センサは、環境光の明暗に応じて、表示パネル１０６１の輝度を調整することができる。接近センサは、端末機器１００が耳元に移動した時、表示パネル１０６１及び／又はバックライトをオフにすることができる。運動センサの一種として、加速度計センサは、各方向（一般的には、三軸であり）における加速度の大きさを検出することができ、静止時、重力の大きさ及び方向を検出することができ、端末機器姿勢（例えば、縦横スクリーン切り替え、関連ゲーム、磁力計姿勢校正）の識別、振動識別関連機能（例えば、歩数計、タップ）などに用いられてもよい。センサ１０５はさらに、指紋センサ、圧力センサ、虹彩センサ、分子センサ、ジャイロ、气圧計、湿度計、温度計、赤外線センサなどを含んでもよく、ここでは説明を省略する。
【０１６５】
表示ユニット１０６は、ユーザによって入力された情報またはユーザに提供される情報を表示するために用いられている。表示ユニット１０６は、表示パネル１０６１を含んでもよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形式で表示パネル１０６１を配置してもよい。
【０１６６】
ユーザ入力ユニット１０７は、入力された数字または文字情報を受信し、端末機器１００のユーザによる設置及び機能制御に関するキー信号入力を発生させるために用いられる。具体的には、ユーザ入力ユニット１０７は、タッチパネル１０７１及び他の入力機器１０７２を含む。タッチパネル１０７１は、タッチスクリーンとも呼ばれ、その上または付近でのユーザによるタッチ操作（例えば、ユーザが指、タッチペンなどの任意の適切な物体または付属品を使用してタッチパネル１０７１上またはタッチパネル１０７１付近で行う操作）を収集することができる。タッチパネル１０７１は、タッチ検出装置とタッチコントローラの二つの部分を含んでもよい。そのうち、タッチ検出装置は、ユーザによるタッチ方位を検出し、タッチ操作による信号を検出し、信号をタッチコントローラに伝送する。タッチコントローラは、タッチ検出装置からタッチ情報を受信し、それをタッチポイント座標に変換してから、プロセッサ１１０に送信し、プロセッサ１１０から送信してきたコマンドを受信して実行する。なお、抵抗式、静電容量式、赤外線及び表面音波などの様々なタイプを用いてタッチパネル１０７１を実現してもよい。タッチパネル１０７１以外、ユーザ入力ユニット１０７は、他の入力機器１０７２を含んでもよい。具体的には、他の入力機器１０７２は、物理的キーボード、機能キー（例えば、音量制御ボタン、スイッチボタンなど）、トラックボール、マウス、操作レバーを含んでもよいが、それらに限らない。ここでは説明を省略する。
【０１６７】
さらに、タッチパネル１０７１は、表示パネル１０６１上に覆われてもよい。タッチパネル１０７１は、その上または付近でのタッチ操作を検出した場合、プロセッサ１１０に伝送して、タッチイベントのタイプを特定し、その後、プロセッサ１１０は、タッチイベントのタイプに応じて表示パネル１０６１で相応な視覚出力を提供する。図５には、タッチパネル１０７１と表示パネル１０６１は、二つの独立した部材として端末機器１００の入力と出力機能を実現するが、何らかの実施例では、タッチパネル１０７１と表示パネル１０６１を集積して端末機器１００の入力と出力機能を実現してもよい。具体的には、ここでは限定しない。
【０１６８】
インターフェースユニット１０８は、外部装置と端末機器１００との接続のためのインターフェースである。例えば、外部装置は、有線または無線ヘッドフォンポート、外部電源（または電池充電器）ポート、有線または無線データポート、メモリカードポート、識別モジュールを有する装置への接続用のポート、オーディオ入力／出力（Ｉ／Ｏ）ポート、ビデオＩ／Ｏポート、イヤホンポートなどを含んでもよい。インターフェースユニット１０８は、外部装置からの入力（例えば、データ情報、電力など）を受信するとともに、受信した入力を端末機器１００内の一つまたは複数の素子に伝送するために用いられてもよく、または端末機器１００と外部装置との間でデータを伝送するために用いられてもよい。
【０１６９】
メモリ１０９は、ソフトウェアプログラム及び各種のデータを記憶するために用いられてもよい。メモリ１０９は、主にプログラム記憶エリアとデータ記憶エリアを含んでもよく、そのうち、プログラム記憶エリアは、オペレーティングシステム、少なくとも一つの機能に必要なアプリケーションプログラム（例えば、音声放送機能、画像放送機能など）などを記憶することができ、データ記憶エリアは、携帯電話の使用によって作成されたデータ（例えば、オーディオデータ、電話帳など）などを記憶することができる。なお、メモリ１０９は、高速ランダムアクセスメモリを含んでもよく、非揮発性メモリ、例えば少なくとも一つの磁気ディスクメモリデバイス、フラッシュメモリデバイス、または他の揮発性ソリッドステートメモリデバイスを含んでもよい。
【０１７０】
プロセッサ１１０は、端末機器１００の制御センターであり、各種のインターフェースと線路によって端末機器１００全体の各部分を接続する。メモリ１０９に記憶されるソフトウェアプログラム及び／又はモジュールを運行または実行し、メモリ１０９に記憶されるデータを呼び出し、端末機器１００の各種の機能を実行し、データを処理することで、端末機器１００全体をモニタリングする。プロセッサ１１０は、一つまたは複数の処理ユニットを含んでもよい。選択的に、プロセッサ１１０は、プロセッサとモデムプロセッサを集積して用いてもよい。そのうち、アプリケーションプロセッサは、主にオペレーティングシステム、ユーザインターフェースおよびアプリケーションプログラムなどを処理するためのものであり、モデムプロセッサは、主に無線通信を処理するためのものである。理解すべきことは、上記モデムプロセッサは、プロセッサ１１０に集積しなくてもよい。
【０１７１】
端末機器１００は、各部材に電力を供給する電源１１１（例えば、電池）を含んでもよい。選択的に、電源１１１は、電源管理システムによってプロセッサ１１０にロジック的に接続されてもよい。それにより、電源管理システムによって充放電管理及び消費電力管理などの機能を実現することができる。
【０１７２】
また、端末機器１００は、いくつかの示されていない機能モジュールを含む。ここでは説明を省略する。
【０１７３】
図６は、本出願の実施例のネットワーク機器を実現するハードウェア構成模式図、このネットワーク機器８００は、プロセッサ８０１、送受信機８０２、メモリ８０３、ユーザインターフェース８０４およびバスインターフェースを含む。
【０１７４】
そのうち、送受信機８０２は、端末機器へ第一の情報を送信するために用いられ、そのうち、上述した第一の情報は、ＲＳＲＱ、ＳＩＮＲのいずれか一種の測定量を指示するために用いられ、または、上述した第一の情報は、ＲＳＲＰ、ＲＳＲＱ及びＳＩＮＲのうちの少なくとも二種の測定量を指示するために用いられ、上述した第一の情報は、端末機器へ、第一の情報に基づくネットワーク機器へのＣＳＩレポートの報告を指示するために用いられ、このＣＳＩレポートは、第一の情報によって指示された測定量を含む。
【０１７５】
本出願の実施例によるネットワーク機器によると、このネットワーク機器が端末機器へ第一の情報を送信することで端末機器へ指示して報告したＣＳＩレポートには、ＲＳＲＱとＳＩＮＲが含まれ、または、端末機器へ指示して報告したＣＳＩレポートには、ＲＳＲＰ、ＲＳＲＱ及びＳＩＮＲのうちの少なくとも二種が含まれ、即ち伝統的なＣＳＩレポートにはＲＳＲＱ及び／又はＳＩＮＲが増加されている。これによって、ＣＳＩレポートには干渉因子が考慮されているようになり、さらにネットワーク機器がこのＣＳＩレポートに基づき正確に端末機器に対して最適なビームを選出できるようになり、通信効率及び効能を向上させる。
【０１７６】
本出願の実施例では、図６には、バスアーキテクチャは、任意の数のお互いに接続されたバスとブリッジを含んでもよく、具体的にプロセッサ８０１によって代表される一つまたは複数のプロセッサとメモリ８０３によって代表されるメモリの各種の回路でリンクされてもよい。バスアーキテクチャは、周辺機器、電圧レギュレータとパワー管理回路などのような各種の他の回路をリンクしてもよい。それらは、すべて当技術分野でよく知っているものであるため、ここではこれ以上説明しない。バスインターフェースは、インターフェースを提供する。送受信機８０２は、複数の素子であってもよく、すなわち、送信機と受信機を含み、伝送媒体で各種の他の装置と通信するためのユニットを提供してもよい。異なるユーザ機器について、ユーザインターフェース８０４は、必要な機器に外接や内接することができるインターフェースであってもよい。接続された機器は、キーパッド、ディスプレイ、スピーカ、マイクロホン、ジョイスティックなどを含むが、それらに限らない。プロセッサ８０１は、バスアーキテクチャと一般的な処理の管理を担当し、メモリ８０３は、プロセッサ８０１の操作実行時に使用されるデータを記憶してもよい。
【０１７７】
また、ネットワーク機器８００はさらに、いくつかの示されていない機能モジュールを含む。ここでは説明を省略する。
【０１７８】
選択的に、本出願の実施例はさらに、端末機器を提供する。プロセッサ、メモリ、メモリに記憶され、プロセッサ上で運行できるコンピュータプログラムを含み、このコンピュータプログラムがプロセッサによって実行される時、上記実施例におけるＣＳＩレポートの報告方法のプロセスを実現し、且つ同じ技術的効果を実現することができる。説明の重複を回避するために、ここで説明を省略する。
【０１７９】
選択的に、本出願の実施例はさらに、ネットワーク機器を提供する。プロセッサ、メモリ、メモリに記憶され、プロセッサ上で運行できるコンピュータプログラムを含み、このコンピュータプログラムがプロセッサによって実行される時、上記実施例一におけるＣＳＩレポートの報告方法のプロセスを実現し、且つ同じ技術的効果を実現することができる。説明の重複を回避するために、ここで説明を省略する。
【０１８０】
本出願の実施例はさらに、コンピュータ可読記憶媒体を提供する。コンピュータ可読記憶媒体にはコンピュータプログラムが記憶されており、このコンピュータプログラムがプロセッサによって実行される時、上記実施例におけるＣＳＩレポートの報告方法の複数のプロセスを実現し、且つ同じ技術的効果を実現することができる。説明の重複を回避するために、ここで説明を省略する。そのうち、のコンピュータ可読記憶媒体は、例えば、リードオンリーメモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスクまたは光ディスクなどである。
【０１８１】
本出願の実施例はさらに、コンピュータ可読記憶媒体を提供する。コンピュータ可読記憶媒体にはコンピュータプログラムが記憶されており、このコンピュータプログラムがプロセッサによって実行される時、上記ランダムアクセス方法の実施例の複数のプロセスを実現し、且つ同じ技術的効果を実現することができる。説明の重複を回避するために、ここで説明を省略する。そのうち、コンピュータ可読記憶媒体は、例えば、ＲＯＭ、ＲＡＭ、磁気ディスクまたは光ディスクなどである。
【０１８２】
説明すべきことは、本明細書において、「含む」、「包含」という用語またはその他の任意の変形は、非排除性の「含む」を意図的にカバーするものであり、それにより、一連の要素を含むプロセス、方法、物品または装置は、それらの要素を含むだけではなく、明確にリストされていていない他の要素も含み、またはこのようなプロセス、方法、物品または装置に固有の要素も含む。それ以上の制限がない場合に、「．．．．．．を１つ含む」という文章で限定された要素について、この要素を含むプロセス、方法、物品または装置には他の同じ要素が存在することが排除されていない。
【０１８３】
以上の実施の形態の記述によって、当業者であればはっきりと分かるように、上記実施例の方法は、ソフトウェアと必要な汎用ハードウェアプラットフォームの形態によって実現されてもよい。無論、ハードウェアによっても実現されるが、多くの場合、前者は好適な実施の形態である。このような理解を踏まえて、本出願の技術案は、実質にはまたは従来技術に寄与する部分がソフトウェア製品の形式によって表われてもよい。このコンピュータソフトウェア製品は、一つの記憶媒体（例えば、ＲＯＭ／ＲＡＭ、磁気ディスク、光ディスク）に記憶され、若干の指令を含む。それによって、一台の端末機器（携帯電話、コンピュータ、サーバ、エアコン、またはネットワーク機器などであってもよい）によって本出願の複数の実施例に記載の方法が実行されるようになる。
【０１８４】
以上は、添付図面を結び付けながら、本出願の実施例を記述したが、本出願は、上述した具体的な実施の形態に限らず、上述した具体的な実施の形態は例示的なものに過ぎず、制限性のあるものではない。当業者は、本出願の示唆で、本出願の趣旨と請求項が保護する範囲を逸脱しない場合に、多くの形式の変更を行うことができ、それらは、いずれも本出願の請求範囲に入っている。
【図１】
2022501950.tif 000010
【図２】
2022501950.tif 000011
【図３】
2022501950.tif 000012
【図４】
2022501950.tif 000013
【図５】
2022501950.tif 000014
【図６】
2022501950.tif 000015
【手続補正書】
【提出日】令和3年3月30日(2021.3.30)
【手続補正１】
【補正対象書類名】特許請求の範囲
【補正対象項目名】全文
【補正方法】変更
【補正の内容】
【特許請求の範囲】
【請求項１】
端末機器に用いられるチャネル状態情報ＣＳＩレポートの報告方法であって、
ネットワーク機器から第一の情報を受信すること、および
前記第一の情報に基づき、前記ネットワーク機器へ、前記第一の情報によって指示された測定量を含むＣＳＩレポートを報告することを含み、
そのうち、前記第一の情報は、リファレンス信号受信品質ＲＳＲＱ、信号対干渉ノイズ比ＳＩＮＲのうちのいずれか一種の測定量を指示するか、または、リファレンス信号受信パワーＲＳＲＰ、ＲＳＲＱ及びＳＩＮＲのうちの少なくとも二種の測定量を指示するためのものである、ことを特徴とする方法。
【請求項２】
一つの第一のリソースのＲＳＲＱは、前記第一のリソースにおいて測定されたＲＳＲＰと前記第一のリソースに対応する第二のリソースにおいて測定された受信信号強度ＲＳＳＩの比率であり、及び／又は、一つの第一のリソースのＳＩＮＲは、前記第一のリソースにおいて測定されたリソース粒子の信号受信パワーの線形平均値と前記第一のリソースに対応する第三のリソースにおいて測定されたリソース粒子の雑音及び干渉パワーの線形平均値との比率であり、
そのうち、一つの第二のリソースが、少なくとも一つの第一のリソースに対応し、及び／又は、一つの第三のリソースが、少なくとも一つの第一のリソースに対応し、
そのうち、前記ネットワーク機器によって前記端末機器に対して干渉測定リソース（Ｉｎｔｅｒｆｅｒｅｎｃｅ  Ｍｅａｓｕｒｅｍｅｎｔ  Ｒｅｓｏｕｒｃｅ）が配置された場合、干渉測定リソースを第二のリソース及び／又は第三のリソースとし、そうでない場合、ＣＳＩ−ＲＳリソースのリソース粒子ＲＥを第二のリソース及び／又は第三のリソースとする、ことを特徴とする請求項１に記載の方法。
【請求項３】
前記第一の情報がＲＳＲＰ、ＲＳＲＱ及びＳＩＮＲのうちの少なくとも二種の測定量を指示するために用いられる場合に、前記第一の情報は、前記端末機器へ、第一種の測定量に対応する第二の情報と少なくとも一つの第二種の測定量に対応する第三の情報の報告を指示するために用いられ、
前記ＣＳＩレポートは、前記第二の情報と前記第三の情報を含み、
そのうち、前記第一種の測定量は、少なくとも二種の測定量のうちの一種であり、前記少なくとも一つの第二種の測定量は、前記少なくとも二種の測定量のうち、前記第一種の測定量を除く他の測定量である、ことを特徴とする請求項１に記載の方法。
【請求項４】
前記第二の情報は、Ｎ個の第一のリソースのリソース番号及び対応する第一の値を含み、前記第一の値は、前記Ｎ個の第一のリソースに対応する第一種の測定量を指示するために用いられ、
いずれか一つの第二種の測定量の第三の情報は、Ｙ個の第一のリソースのリソース番号及び対応する第二の値、または、前記第二の値を含み、前記第二の値は、前記Ｙ個の第一のリソースに対応する前記いずれか一つの第二種の測定量を指示するために用いられ、
前記Ｎ個の第一のリソースまたは前記Ｙ個の第一のリソースは、前記ネットワーク機器によって前記端末機器に対して配置されたＭ個の第一のリソースのうちの少なくとも一つであり、
前記Ｍ個の第一のリソースは、Ｍ個のチャネル状態情報リファレンス信号ＣＳＩ−ＲＳリソースまたはＭ個の同期信号ブロックＳＳＢリソースを含み、Ｍ、Ｎは、１以上であり、Ｙは、０以上であり、Ｍは、Ｎ以上であり、Ｍは、Ｙ以上であり、Ｎは、Ｙ以上である、ことを特徴とする請求項３に記載の方法。
【請求項５】
前記Ｙ個の第一のリソースは、前記Ｎ個の第一のリソースの一部または全部の第一のリソースと同じであり、
前記第三の情報における前記Ｙ個の第一のリソースのリソース番号の順序及び／又は前記Ｙ個の第一のリソースに対応する第二の値の順序は、前記第二の情報における前記Ｎ個の第一のリソースのうちの前記Ｙ個の第一のリソースのリソース番号の順序に対応する、ことを特徴とする請求項４に記載の方法。
【請求項６】
前記Ｎ個の第一のリソースは、前記Ｍ個の第一のリソースの第一種の測定量が大きい順に並び替えられた後、ランキングで１番目からＮ番目までの第一種の測定量に対応する第一のリソースであり、
前記Ｙ個の第一のリソースは、前記Ｎ個の第一のリソースのうち、第一種の測定量が設定しきい値よりも大きい第一のリソースである、ことを特徴とする請求項４に記載の方法。
【請求項７】
前記第一の情報がＲＳＲＱとＳＩＮＲのうちのいずれか一種の測定量を指示するために用いられる場合に、前記第一の情報は、前記端末機器へ、第四の情報の報告を指示するために用いられ、前記ＣＳＩレポートは、前記第四の情報を含み、
前記第四の情報は、Ｎ個の第一のリソースの番号および対応する第三の値を含み、前記第三の値は、前記Ｎ個の第一のリソースの前記いずれか一種の測定量を指示するために用いられ、
前記Ｎ個の第一のリソースは、前記ネットワーク機器によって前記端末機器に対して配置されたＭ個の第一のリソースのうちの少なくとも一つであり、
前記Ｍ個の第一のリソースは、Ｍ個のチャネル状態情報リファレンス信号ＣＳＩ−ＲＳリソースまたはＭ個の同期信号ブロックＳＳＢリソースを含み、Ｍ、Ｎは、１以上であり、Ｍは、Ｎ以上である、ことを特徴とする請求項１に記載の方法。
【請求項８】
前記第二のリソースは、プロトコルにおいてデフォルト設定されたリソースであり、または、前記第二のリソースは、前記ネットワーク機器によって前記端末機器に対して配置されたリソースであり、
前記第三のリソースは、プロトコルにおいてデフォルト設定されたリソースであり、または、前記第三のリソースは、前記ネットワーク機器によって前記端末機器に対して配置されたリソースである、ことを特徴とする請求項２に記載の方法。
【請求項９】
ネットワーク機器に用いられるチャネル状態情報ＣＳＩレポートの報告方法であって、
端末機器へ第一の情報を送信することを含み、
そのうち、前記第一の情報は、リファレンス信号受信品質ＲＳＲＱ、信号対干渉ノイズ比ＳＩＮＲのうちのいずれか一種の測定量を指示するために用いられ、または、前記第一の情報は、リファレンス信号受信パワーＲＳＲＰ、ＲＳＲＱ及びＳＩＮＲのうちの少なくとも二種の測定量を指示するために用いられ、前記第一の情報は、前記第一の情報に基づく、前記ネットワーク機器へのＣＳＩレポートの報告を、前記端末機器へ指示するために用いられ、前記ＣＳＩレポートは、前記第一の情報によって指示された測定量を含む、ことを特徴とする方法。
【請求項１０】
一つの第一のリソースのＲＳＲＱは、前記第一のリソースにおいて測定されたＲＳＲＰと前記第一のリソースに対応する第二のリソースにおいて測定された受信信号強度ＲＳＳＩの比率であり、及び／又は、一つの第一のリソースのＳＩＮＲは、前記第一のリソースにおいて測定されたリソース粒子の信号受信パワーの線形平均値と前記第一のリソースに対応する第三のリソースにおいて測定されたリソース粒子の雑音及び干渉パワーの線形平均値との比率であり、
そのうち、一つの第二のリソースが、少なくとも一つの第一のリソースに対応し、及び／又は、一つの第三のリソースが、少なくとも一つの第一のリソースに対応し、
そのうち、前記ネットワーク機器によって前記端末機器に対して干渉測定リソース（Ｉｎｔｅｒｆｅｒｅｎｃｅ  Ｍｅａｓｕｒｅｍｅｎｔ  Ｒｅｓｏｕｒｃｅ）が配置された場合、干渉測定リソースを第二のリソース及び／又は第三のリソースとし、そうでない場合、ＣＳＩ−ＲＳリソースのリソース粒子ＲＥを第二のリソース及び／又は第三のリソースとする、ことを特徴とする請求項９に記載の方法。
【請求項１１】
前記第一の情報がＲＳＲＰ、ＲＳＲＱ及びＳＩＮＲのうちの少なくとも二種の測定量を指示するために用いられる場合に、前記第一の情報は、前記端末機器へ、第一種の測定量に対応する第二の情報と少なくとも一つの第二種の測定量に対応する第三の情報の報告を指示するために用いられ、
前記ＣＳＩレポートは、前記第二の情報と前記第三の情報を含み、
そのうち、前記第一種の測定量は、少なくとも二種の測定量のうちの一種であり、前記少なくとも一つの第二種の測定量は、前記少なくとも二種の測定量のうち、前記第一種の測定量を除く他の測定量である、ことを特徴とする請求項９に記載の方法。
【請求項１２】
前記第二の情報は、Ｎ個の第一のリソースのリソース番号及び対応する第一の値を含み、前記第一の値は、前記Ｎ個の第一のリソースに対応する第一種の測定量を指示するために用いられ、
いずれか一つの第二種の測定量の第三の情報は、Ｙ個の第一のリソースのリソース番号及び対応する第二の値、または、前記第二の値を含み、前記第二の値は、前記Ｙ個の第一のリソースに対応する前記いずれか一つの第二種の測定量を指示するために用いられ、
前記Ｎ個の第一のリソースまたは前記Ｙ個の第一のリソースは、前記ネットワーク機器によって前記端末機器に対して配置されたＭ個の第一のリソースのうちの少なくとも一つであり、
前記Ｍ個の第一のリソースは、Ｍ個のチャネル状態情報リファレンス信号ＣＳＩ−ＲＳリソースまたはＭ個の同期信号ブロックＳＳＢリソースを含み、Ｍ、Ｎは、１以上であり、Ｙは、０以上であり、Ｍは、Ｎ以上であり、Ｍは、Ｙ以上であり、Ｎは、Ｙ以上である、ことを特徴とする請求項１１に記載の方法。
【請求項１３】
前記第一の情報がＲＳＲＱとＳＩＮＲのうちのいずれか一種の測定量を指示するために用いられる場合に、前記第一の情報は、前記端末機器へ、第四の情報の報告を指示するために用いられ、前記ＣＳＩレポートは、前記第四の情報を含み、
前記第四の情報は、Ｎ個の第一のリソースの番号および対応する第三の値を含み、前記第三の値は、前記Ｎ個の第一のリソースの前記いずれか一種の測定量を指示するために用いられ、
前記Ｎ個の第一のリソースは、前記ネットワーク機器によって前記端末機器に対して配置されたＭ個の第一のリソースのうちの少なくとも一つであり、
前記Ｍ個の第一のリソースは、Ｍ個のチャネル状態情報リファレンス信号ＣＳＩ−ＲＳリソースまたはＭ個の同期信号ブロックＳＳＢリソースを含み、Ｍ、Ｎは、１以上であり、Ｍは、Ｎ以上である、ことを特徴とする請求項９に記載の方法。
【請求項１４】
前記第二のリソースは、プロトコルにおいてデフォルト設定されたリソースであり、または、前記第二のリソースは、前記ネットワーク機器によって前記端末機器に対して配置されたリソースであり、
前記第三のリソースは、プロトコルにおいてデフォルト設定されたリソースであり、または、前記第三のリソースは、前記ネットワーク機器によって前記端末機器に対して配置されたリソースである、ことを特徴とする請求項１０に記載の方法。
【請求項１５】
ネットワーク機器から、第一の情報を受信するための受信モジュール、および
前記受信モジュールによって受信された前記第一の情報に基づき、前記ネットワーク機器へ、前記第一の情報によって指示された測定量を含むＣＳＩレポートを報告するための送信モジュールを含み、
そのうち、前記第一の情報は、リファレンス信号受信品質ＲＳＲＱ、信号対干渉ノイズ比ＳＩＮＲのうちのいずれか一種の測定量を指示するか、または、リファレンス信号受信パワーＲＳＲＰ、ＲＳＲＱ及びＳＩＮＲのうちの少なくとも二種の測定量を指示するためのものである、ことを特徴とする端末機器。
【請求項１６】
ネットワーク機器であって、
端末機器へ第一の情報を送信するための送信モジュールを含み、
そのうち、前記第一の情報は、リファレンス信号受信品質ＲＳＲＱ、信号対干渉ノイズ比ＳＩＮＲのうちのいずれか一種の測定量を指示するために用いられ、または、前記第一の情報は、リファレンス信号受信パワーＲＳＲＰ、ＲＳＲＱ及びＳＩＮＲのうちの少なくとも二種の測定量を指示するために用いられ、前記第一の情報は、前記第一の情報に基づく、前記ネットワーク機器へのＣＳＩレポートの報告を、前記端末機器へ指示するために用いられ、前記ＣＳＩレポートは、前記第一の情報によって指示された測定量を含む、ことを特徴とするネットワーク機器。
【手続補正２】
【補正対象書類名】明細書
【補正対象項目名】００６８
【補正方法】変更
【補正の内容】
【００６８】
留意すべきことは、上記テーブル１は、ただ一つの例に過ぎず、実際の使用には、上述した第一種の測定量は、ＲＳＲＰまたはＳＩＮＲであってもよい。
【手続補正３】
【補正対象書類名】明細書
【補正対象項目名】００７７
【補正方法】変更
【補正の内容】
【００７７】
留意すべきことは、上述したＹ−１つの第一のリソースのいずれか一つの第一のリソースの第二種の測定量の差分値は、このいずれか一つの第一のリソースの第二種の測定量と第五のリソースの第二種の測定量の差分値であってもよく、第五のリソースの第二種の測定量とこのいずれか一つの第一のリソースの第二種の測定量の差分値であってもよい。本出願は、これを限定しない。
【手続補正４】
【補正対象書類名】明細書
【補正対象項目名】００８５
【補正方法】変更
【補正の内容】
【００８５】
例を挙げて説明すると、第一種の測定量がＲＳＲＰであり、第二種の測定量がＲＳＲＱであることを例として、第一の情報は、４つのＣＳＩ−ＲＳリソースのＲＳＲＰ及びＲＳＲＱの報告を指示する。そのうち、端末機器によってＲＳＲＰに対して選出された４つのＣＳＩ−ＲＳリソースのリソース番号は、それぞれＣＲＩ＃１、ＣＲＩ＃２、ＣＲＩ＃３及びＣＲＩ＃４であり、それに対応する第一の値は、それぞれＲＳＲＰ＃１、差分ＲＳＲＰ＃２、差分ＲＳＲＰ＃３及び差分ＲＳＲＰ＃４であり、且つ最大のＲＳＲＰに対応するＣＳＩ−ＲＳリソースのリソース番号は、ＣＲＩ＃１（即ち第四のリソース）であり、対応するＲＳＲＱは、それぞれＲＳＲＱ＃１、ＲＳＲＱ＃２、ＲＳＲＱ＃３、ＲＳＲＱ＃４である。そのうち、ＣＲＩ＃３に対応するＲＳＲＱ＃３は、この四つのＣＳＩ−ＲＳリソースのＲＳＲＱのうちの最大値である。ＲＳＲＰに対応する４つのリソースがＲＳＲＱに対応する４つのリソースと同じであるため、ＲＳＲＱ端末機器については、ＣＲＩ＃３（即ち第五のリソース）のみが報告され、他のＣＳＩ−ＲＳリソースのリソース番号が報告されなく、且つ第五のリソース以外、他のリソースのＲＳＲＱが差分ＲＳＲＱの形で報告されてもよい。具体的には、対応するＣＳＩレポートは、以下のテーブル３に示すようになる。
【手続補正５】
【補正対象書類名】明細書
【補正対象項目名】００８６
【補正方法】変更
【補正の内容】
【００８６】
【表３】
2022501950.tif 000016
【手続補正６】
【補正対象書類名】明細書
【補正対象項目名】０１０４
【補正方法】変更
【補正の内容】
【０１０４】
例を挙げて説明すると、第一種の測定量がＲＳＲＱであり、第二種の測定量がＲＳＲＰとＳＩＮＲであることを例として、第一の情報は、４つのＳＳＢリソースのＲＳＲＱ、及び４つのＳＳＢリソースのＲＳＲＱのうち、しきい値Ｔよりも大きいＳＳＢリソースに対応するＲＳＲＰとＳＩＮＲの報告を指示する。端末機器によってＲＳＲＱに対して選出された４つのＳＳＢリソースのリソース番号は、それぞれＳＳＢＲＩ＃１、ＳＳＢＲＩ＃２、ＳＳＢＲＩ＃３及びＳＳＢＲＩ＃４であり、且つＳＳＢＲＩ＃１のＲＳＲＱとＳＳＢＲＩ＃２のＲＳＲＱは、しきい値Ｔよりも大きい。このとき、Ｌ１−ＲＳＲＱのうちの最大値に対応するＳＳＢリソース（ＳＳＢＲＩ＃１）は、第四のリソースである。第五のリソースが第四のリソースである場合、ＳＳＢＲＩ＃１のＲＳＲＰとＳＩＮＲ（即ちＲＳＲＰ＃１とＳＩＮＲ＃１）、及びＳＳＢＲＩ＃２のＲＳＲＰとＳＩＮＲ（即ち差分ＲＳＲＰ＃２と差分ＳＩＮＲ＃２）を報告する。具体的には、テーブル１を結び付けながら、対応するＣＳＩレポートは、以下のテーブル６に示すようになる。
【手続補正７】
【補正対象書類名】明細書
【補正対象項目名】０１５６
【補正方法】変更
【補正の内容】
【０１５６】
本出願の実施例によるネットワーク機器は、上記方法の実施例に示すプロセスを実現することができる。説明の重複を回避するために、ここでは説明を省略する。
【手続補正８】
【補正対象書類名】明細書
【補正対象項目名】０１８１
【補正方法】変更
【補正の内容】
【０１８１】
本出願の実施例はさらに、コンピュータ可読記憶媒体を提供する。コンピュータ可読記憶媒体にはコンピュータプログラムが記憶されており、このコンピュータプログラムがプロセッサによって実行される時、上記ＣＳＩレポートの報告方法の実施例の複数のプロセスを実現し、且つ同じ技術的効果を実現することができる。説明の重複を回避するために、ここで説明を省略する。そのうち、コンピュータ可読記憶媒体は、例えば、ＲＯＭ、ＲＡＭ、磁気ディスクまたは光ディスクなどである。
【国際調査報告】
2022501950.tif 000017
2022501950.tif 000018
2022501950.tif 000019
2022501950.tif 000020